(57)【要約】  本発明の一実施例による無線通信システムにおいて、複数のＴＴＩ長、複数のサブキャリア間隔又は複数のプロセッシング時間を支援する端末のための上りリンク制御情報の送信方法であって、前記方法は端末によって行われ、２つ又は３つのシンボルからなるＴＴＩにおいて、無線リソースに上りリンク制御情報をマッピングするステップであって、前記上りリンク制御情報は、ＨＡＲＱ−ＡＣＫ、ランク指示子（ＲＩ）、チャネル品質指示子又はプリコーディング行列指示子を含む、ステップと、前記上りリンク制御情報を基地局に送信するステップとを含み、前記ＴＴＩ内にＤＭＲＳがマッピングされるシンボルがない場合、前記ＴＴＩ内の第１番目のシンボルにＨＡＲＱ−ＡＣＫが最高の周波数インデックスリソース要素（ＲＥ）から降順にマッピングされ、ＲＩは前記ＴＴＩ内の残りのシンボルに最高の周波数インデックスＲＥから降順にマッピングされることができる。【選択図】図９
2019537345.tif 000002
【特許請求の範囲】
【請求項１】
無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末のための上りリンク制御情報を送信する方法であって、
前記方法は、
端末によって行われ、
２つ又は３つのシンボルからなるＴＴＩにおいて、無線リソースに上りリンク制御情報をマッピングするステップであって、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ランク指示子（ｒａｎｋ  ｉｎｄｉｃａｔｏｒ；ＲＩ）、チャネル品質指示子（ｃｈａｎｎｅｌ  ｑｕａｌｉｔｙ  ｉｎｄｉｃａｔｏｒ；ＣＱＩ）又はプリコーディング行列指示子（ｐｒｅｃｏｄｉｎｇ  ｍａｔｒｉｘ  ｉｎｄｉｃａｔｏｒ；ＰＭＩ）を含む、ステップと、
前記上りリンク制御情報を基地局に送信するステップと、を含み、
前記ＴＴＩ内にＤＭＲＳがマッピングされるシンボルがない場合、
前記ＴＴＩ内の第１番目のシンボルに、ＨＡＲＱ−ＡＣＫは、最高の周波数インデックスリソース要素（ｒｅｓｏｕｒｃｅ  ｅｌｅｍｅｎｔ；ＲＥ）から降順にマッピングされ、
ＲＩは、前記ＴＴＩ内の残りのシンボルに、最高の周波数インデックスＲＥから降順にマッピングされることを特徴とする、方法。
【請求項２】
前記ＴＴＩ内に復調参照信号（ｄｅｍｏｄｕｌａｔｉｏｎ  ｒｅｆｅｒｅｎｃｅ  ｓｉｇｎａｌ；ＤＭＲＳ）が第１番目のシンボルに位置して、サウンディング参照信号（ｓｏｕｎｄｉｎｇ  ｒｅｆｅｒｅｎｃｅ  ｓｉｎｇａｌ；ＳＲＳ）が最後のシンボルに位置した場合、
前記ＨＡＲＱ−ＡＣＫ、前記ＲＩ及び前記ＣＱＩ／ＰＭＩは、前記ＴＴＩ内の中央シンボルにマッピングされることを特徴とする、請求項１に記載の方法。
【請求項３】
前記上りリンク制御情報がマッピングされるコード化シンボルの最大数は、前記上りリンク制御情報がマッピングされるシンボルの数と、前記上りリンク制御情報が送信されるチャネルに該当するサブキャリアの数との積によって制限されることを特徴とする、請求項１に記載の方法。
【請求項４】
前記上りリンク制御情報がマッピングされるシンボルの数は、ＴＴＩ長ごとに異なることを特徴とする、請求項３に記載の方法。
【請求項５】
前記上りリンク制御情報が送信されるチャネルは、１ｍｓよりも短い長さのＴＴＩベースの上りリンクデータチャネルであることを特徴とする、請求項１に記載の方法。
【請求項６】
前記ＴＴＩが２つのシンボルからなり、そのうち一方のシンボルにＤＭＲＳが位置した場合、１つの上りリンクデータチャネルを復調するためのＤＭＲＳは、全体のＲＢのうち一部にのみマッピングされることを特徴とする、請求項１に記載の方法。
【請求項７】
前記２つのシンボルのうち他方のシンボルにおいて、前記ＤＭＲＳがマッピングされたＲＥと同一の周波数インデックスのＲＥにのみ、前記上りリンク制御情報は、マッピングされ、
前記ＤＭＲＳがマッピングされたＲＥと同一の周波数インデックスのＲＥにのみマッピングされる上りリンク制御情報は、ＨＡＲＱ−ＡＣＫ又はＲＩであることを特徴とする、請求項６に記載の方法。
【請求項８】
無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末であって、
前記端末は、
受信機及び送信機と、
前記受信機及び送信機を制御するプロセッサと、を含み、
前記プロセッサは、
２つ又は３つのシンボルからなるＴＴＩにおいて、無線リソースに上りリンク制御情報をマッピングし、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ランク指示子（ｒａｎｋ  ｉｎｄｉｃａｔｏｒ；ＲＩ）、チャネル品質指示子（ｃｈａｎｎｅｌ  ｑｕａｌｉｔｙ  ｉｎｄｉｃａｔｏｒ；ＣＱＩ）又はプリコーディング行列指示子（ｐｒｅｃｏｄｉｎｇ  ｍａｔｒｉｘ  ｉｎｄｉｃａｔｏｒ；ＰＭＩ）を含み、
前記上りリンク制御情報を基地局に送信し、
前記ＴＴＩ内にＤＭＲＳがマッピングされるシンボルがない場合、
前記ＴＴＩ内の第１番目のシンボルに、ＨＡＲＱ−ＡＣＫは、最高の周波数インデックスリソース要素（ｒｅｓｏｕｒｃｅ  ｅｌｅｍｅｎｔ；ＲＥ）から降順にマッピングされ、
ＲＩは、前記ＴＴＩ内の残りのシンボルに、最高の周波数インデックスＲＥから降順にマッピングされることを特徴とする、端末。
【請求項９】
前記ＴＴＩ内に復調参照信号（ｄｅｍｏｄｕｌａｔｉｏｎ  ｒｅｆｅｒｅｎｃｅ  ｓｉｇｎａｌ；ＤＭＲＳ）が第１番目のシンボルに位置して、サウンディング参照信号（ｓｏｕｎｄｉｎｇ  ｒｅｆｅｒｅｎｃｅ  ｓｉｎｇａｌ；ＳＲＳ）が最後のシンボルに位置した場合、
前記ＨＡＲＱ−ＡＣＫ、前記ＲＩ及び前記ＣＱＩ／ＰＭＩは、前記ＴＴＩ内の中央シンボルにマッピングされることを特徴とする、請求項８に記載の方法。
【請求項１０】
前記上りリンク制御情報がマッピングされるコード化シンボルの最大数は、前記上りリンク制御情報がマッピングされるシンボルの数と、前記上りリンク制御情報が送信されるチャネルに該当するサブキャリアの数との積によって制限されることを特徴とする、請求項８に記載の端末。
【請求項１１】
前記上りリンク制御情報がマッピングされるシンボルの数は、ＴＴＩ長ごとに異なることを特徴とする、請求項１０に記載の端末。
【請求項１２】
前記上りリンク制御情報が送信されるチャネルは、１ｍｓよりも短い長さのＴＴＩベースの上りリンクデータチャネルであることを特徴とする、請求項８に記載の端末。
【請求項１３】
前記ＴＴＩが２つのシンボルからなり、そのうち一方のシンボルにＤＭＲＳが位置した場合、１つの上りリンクデータチャネルを復調するためのＤＭＲＳは、全体のＲＢのうち一部にのみマッピングされることを特徴とする、請求項８に記載の端末。
【請求項１４】
前記２つのシンボルのうち他方のシンボルにおいて、前記ＤＭＲＳがマッピングされたＲＥと同一の周波数インデックスのＲＥにのみ、前記上りリンク制御情報は、マッピングされ、
前記ＤＭＲＳがマッピングされたＲＥと同一の周波数インデックスのＲＥにのみマッピングされる上りリンク制御情報は、ＨＡＲＱ−ＡＣＫ又はＲＩであることを特徴とする、請求項１３に記載の端末。
【請求項１５】
無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末のための上りリンク制御情報の受信方法であって、
前記方法は、
基地局によって行われ、
２つ又は３つのシンボルからなるＴＴＩにおいて、無線リソースに上りリンク制御情報がマッピングされた上りリンク制御情報を端末から受信するステップであって、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ランク指示子（ｒａｎｋ  ｉｎｄｉｃａｔｏｒ；ＲＩ）、チャネル品質指示子（ｃｈａｎｎｅｌ  ｑｕａｌｉｔｙ  ｉｎｄｉｃａｔｏｒ；ＣＱＩ）又はプリコーディング行列指示子（ｐｒｅｃｏｄｉｎｇ  ｍａｔｒｉｘ  ｉｎｄｉｃａｔｏｒ；ＰＭＩ）を含む、ステップを含み、
前記ＴＴＩ内にＤＭＲＳがマッピングされるシンボルがない場合、
前記ＴＴＩ内の第１番目のシンボルに、ＨＡＲＱ−ＡＣＫは、最高の周波数インデックスＲＥから降順にマッピングされ、
ＲＩは、前記ＴＴＩ内の残りのシンボルに、最高の周波数インデックスＲＥから降順にマッピングされることを特徴とする、方法。
【発明の詳細な説明】
【技術分野】
【０００１】
本発明は、無線通信システムに関し、具体的に、複数の送信時間間隔、複数のサブキャリア間隔、又は複数のプロセッシング時間を支援するための方法及びそのための装置に関する。
【背景技術】
【０００２】
パケットデータのレイテンシは重要な性能メトリック（ｍｅｔｒｉｃ）の１つであり、これを減らして、より早いインターネットアクセスを最終ユーザ（ｅｎｄ  ｕｓｅｒ）に提供することは、ＬＴＥのみならず、次世代移動通信システム、いわゆる新ラット（ｎｅｗ ＲＡＴ）の設計においても重要な課題の１つといえる。
【０００３】
本発明は、このようなレイテンシの減少を支援する無線通信システムにおける参照信号に関する内容を取り扱う。
【発明の概要】
【発明が解決しようとする課題】
【０００４】
本発明は、複数の送信時間間隔、複数のサブキャリア間隔、又は複数のプロセッシング時間を支援する端末の上りリンク送信動作又はそれと通信する基地局の上りリンク受信動作に関する。より詳細には、本発明は、上りリンク制御情報のマッピング、複数の上りリンクチャネルの衝突時の処理、又はそれに関する端末の能力報告などに関する。
【０００５】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００６】
本発明の一態様による無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末のための上りリンク制御情報を送信する方法であって、前記方法は、端末によって行われ、２つ又は３つのシンボルからなるＴＴＩにおいて、無線リソースに上りリンク制御情報をマッピングするステップであって、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ランク指示子（ｒａｎｋ  ｉｎｄｉｃａｔｏｒ；ＲＩ）、チャネル品質指示子（ｃｈａｎｎｅｌ  ｑｕａｌｉｔｙ  ｉｎｄｉｃａｔｏｒ；ＣＱＩ）又はプリコーディング行列指示子（ｐｒｅｃｏｄｉｎｇ  ｍａｔｒｉｘ  ｉｎｄｉｃａｔｏｒ；ＰＭＩ）を含む、ステップと、前記上りリンク制御情報を基地局に送信するステップと、を含み、前記ＴＴＩ内にＤＭＲＳがマッピングされるシンボルがない場合、前記ＴＴＩ内の第１番目のシンボルに、ＨＡＲＱ−ＡＣＫは、最高の周波数インデックスリソース要素（ｒｅｓｏｕｒｃｅ  ｅｌｅｍｅｎｔ；ＲＥ）から降順にマッピングされ、ＲＩは、前記ＴＴＩ内の残りのシンボルに最高の周波数インデックスＲＥから降順にマッピングされることができる。
【０００７】
追加又は代替案として、前記ＴＴＩ内に復調参照信号（ｄｅｍｏｄｕｌａｔｉｏｎ  ｒｅｆｅｒｅｎｃｅ  ｓｉｇｎａｌ；ＤＭＲＳ）が第１番目のシンボルに位置して、サウンディング参照信号（ｓｏｕｎｄｉｎｇ  ｒｅｆｅｒｅｎｃｅ  ｓｉｎｇａｌ；ＳＲＳ）が最後のシンボルに位置した場合、前記ＨＡＲＱ−ＡＣＫ、前記ＲＩ及び前記ＣＱＩ／ＰＭＩは、前記ＴＴＩ内の中央シンボルにマッピングされることができる。
【０００８】
追加又は代替案として、前記上りリンク制御情報がマッピングされるコード化シンボルの最大数は、前記上りリンク制御情報がマッピングされるシンボルの数と前記上りリンク制御情報が送信されるチャネルに該当するサブキャリアの数との積によって制限されることができる。
【０００９】
追加又は代替案として、前記上りリンク制御情報がマッピングされるシンボルの数は、ＴＴＩ長ごとに異なってもよい。
【００１０】
追加又は代替案として、前記上りリンク制御情報が送信されるチャネルは、１ｍｓよりも短い長さのＴＴＩベースの上りリンクデータチャネルであってもよい。
【００１１】
追加又は代替案として、前記ＴＴＩが２つのシンボルからなり、そのうち一方のシンボルにＤＭＲＳが位置した場合、１つの上りリンクデータチャネルを復調するためのＤＭＲＳは、全体のＲＢのうち一部にのみマッピングされることができる。
【００１２】
追加又は代替案として、前記２つのシンボルのうち他方のシンボルにおいて、前記ＤＭＲＳがマッピングされたＲＥと同一の周波数インデックスのＲＥにのみ、前記上りリンク制御情報は、マッピングされることができ、前記ＤＭＲＳがマッピングされたＲＥと同一の周波数インデックスのＲＥにのみマッピングされる上りリンク制御情報は、ＨＡＲＱ−ＡＣＫ又はＲＩであってもよい。
【００１３】
本発明の別の一態様による無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末であって、前記端末は、受信機及び送信機と、前記受信機及び送信機を制御するプロセッサを含み、前記プロセッサは、２つ又は３つのシンボルからなるＴＴＩにおいて、無線リソースに上りリンク制御情報をマッピングし、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ランク指示子（ｒａｎｋ  ｉｎｄｉｃａｔｏｒ；ＲＩ）、チャネル品質指示子（ｃｈａｎｎｅｌ  ｑｕａｌｉｔｙ  ｉｎｄｉｃａｔｏｒ；ＣＱＩ）又はプリコーディング行列指示子（ｐｒｅｃｏｄｉｎｇ  ｍａｔｒｉｘ  ｉｎｄｉｃａｔｏｒ；ＰＭＩ）を含み、また前記上りリンク制御情報を基地局に送信し、前記ＴＴＩ内にＤＭＲＳがマッピングされるシンボルがない場合、前記ＴＴＩ内の第１番目のシンボルに、ＨＡＲＱ−ＡＣＫは、最高の周波数インデックスリソース要素（ｒｅｓｏｕｒｃｅ  ｅｌｅｍｅｎｔ；ＲＥ）から降順にマッピングされ、ＲＩは、前記ＴＴＩ内の残りのシンボルに最高の周波数インデックスＲＥから降順にマッピングされることができる。
【００１４】
追加又は代替案として、前記ＴＴＩ内に復調参照信号（ｄｅｍｏｄｕｌａｔｉｏｎ  ｒｅｆｅｒｅｎｃｅ  ｓｉｇｎａｌ；ＤＭＲＳ）が第１番目のシンボルに位置して、サウンディング参照信号（ｓｏｕｎｄｉｎｇ  ｒｅｆｅｒｅｎｃｅ  ｓｉｎｇａｌ；ＳＲＳ）が最後のシンボルに位置した場合、前記ＨＡＲＱ−ＡＣＫ、前記ＲＩ及び前記ＣＱＩ／ＰＭＩは、前記ＴＴＩ内の中央シンボルにマッピングされることができる。
【００１５】
追加又は代替案として、前記上りリンク制御情報がマッピングされるコード化シンボルの最大数は、前記上りリンク制御情報がマッピングされるシンボルの数と前記上りリンク制御情報が送信されるチャネルに該当するサブキャリアの数との積によって制限されることができる。
【００１６】
追加又は代替案として、前記上りリンク制御情報がマッピングされるシンボルの数は、ＴＴＩ長ごとに異なってもよい。
【００１７】
追加又は代替案として、前記上りリンク制御情報が送信されるチャネルは、１ｍｓよりも短い長さのＴＴＩベースの上りリンクデータチャネルであってもよい。
【００１８】
追加又は代替案として、前記ＴＴＩが２つのシンボルからなり、そのうち一方のシンボルにＤＭＲＳが位置した場合、１つの上りリンクデータチャネルを復調するためのＤＭＲＳは、全体のＲＢのうち一部にのみマッピングされることができる。
【００１９】
追加又は代替案として、前記２つのシンボルのうち他方のシンボルにおいて、前記ＤＭＲＳがマッピングされたＲＥと同一の周波数インデックスのＲＥにのみ、前記上りリンク制御情報は、マッピングされることができ、前記ＤＭＲＳがマッピングされたＲＥと同一の周波数インデックスのＲＥにのみマッピングされる上りリンク制御情報は、ＨＡＲＱ−ＡＣＫ又はＲＩであってもよい。
【００２０】
本発明の別の一態様による無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末のための上りリンク制御情報の受信方法であって、前記方法は基地局によって行われ、２つ又は３つのシンボルからなるＴＴＩにおいて、無線リソースに上りリンク制御情報がマッピングされた上りリンク制御情報を端末から受信するステップであって、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ランク指示子（ｒａｎｋ  ｉｎｄｉｃａｔｏｒ；ＲＩ）、チャネル品質指示子（ｃｈａｎｎｅｌ  ｑｕａｌｉｔｙ  ｉｎｄｉｃａｔｏｒ；ＣＱＩ）又はプリコーディング行列指示子（ｐｒｅｃｏｄｉｎｇ  ｍａｔｒｉｘ  ｉｎｄｉｃａｔｏｒ；ＰＭＩ）を含み、ステップを含み、前記ＴＴＩ内にＤＭＲＳがマッピングされるシンボルがない場合、前記ＴＴＩ内の第１番目のシンボルに、ＨＡＲＱ−ＡＣＫは、最高の周波数インデックスＲＥから降順にマッピングされ、ＲＩは、前記ＴＴＩ内の残りのシンボルに、最高の周波数インデックスＲＥから降順にマッピングされることができる。
【００２１】
上述した課題の解決方法は、本発明の実施例の一部に過ぎず、本願発明の技術的特徴が反映された様々な実施例が、当該技術の分野における通常の知識を有する者にとって、以下に詳述する本発明の詳細な説明に基づいて導出され理解され得るだろう。
【発明の効果】
【００２２】
本発明の実施例によれば、複数のＴＴＩ長、複数のサブキャリア間隔、又は複数のプロセッシング時間を支援する端末の上りリンク送信が効率的に行われることができる。
【００２３】
本発明で得られる効果は以上に言及した効果に制限されず、言及しなかった他の効果は以下の記載から本発明が属する当該技術分野における当業者に明確に理解されるであろう。
【図面の簡単な説明】
【００２４】
以下に添付する図面は、本発明に関する理解を助けるために詳細な説明の一部として含まれるものであり、本発明に関する実施例を提供し、詳細な説明と共に本発明の技術的思想を説明する。
【図１】無線通信システムにおいて用いられる無線フレーム構造の一例を示す図である。
【図２】無線通信システムにおいて、下りリンク／上りリンク（ＤＬ／ＵＬ）スロット構造の一例を示す図である。
【図３】３ＧＰＰ ＬＴＥ／ＬＴＥ−Ａシステムにおいて用いられる下りリンク（ｄｏｗｎｌｉｎｋ，ＤＬ）サブフレームの構造を例示する図である。
【図４】３ＧＰＰ ＬＴＥ／ＬＴＥ−Ａシステムにおいて用いられる上りリンク（ｕｐｌｉｎｋ，ＵＬ）サブフレームの構造を例示する図である。
【図５】ユーザプレーンレイテンシの減少によるＴＴＩ長の減少を示す図である。
【図６】１つのサブフレーム内に複数の短いＴＴＩが設定された例を示す図である。
【図７】複数の長さ（シンボル数）の短いＴＴＩからなるＤＬサブフレームの構造を示す図である。
【図８】２つのシンボル又は３つのシンボルの短いＴＴＩからなるＤＬサブフレームの構造を示す図である。
【図９】本発明の実施例を実装するための装置を示すブロック図である。
【発明を実施するための形態】
【００２５】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２６】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２７】
本発明において、ユーザ機器（ｕｓｅｒ  ｅｑｕｉｐｍｅｎｔ，ＵＥ）は、固定していても、移動性を有していてもよいもので、基地局（ｂａｓｅ  ｓｔａｔｉｏｎ，ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）、送信ポイント（ｔｒａｎｓｍｉｓｓｉｏｎ  ｐｏｉｎｔ；ＴＰ）などと呼ぶこともできる。以下の本発明に関する説明では、ＢＳをｅＮＢと称する。
【００２８】
本発明でいうノード（ｎｏｄｅ）とは、ユーザ機器と通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ，ＲＲＨ）、無線リモートユニット（ｒａｄｉｏ  ｒｅｍｏｔｅ  ｕｎｉｔ，ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ，ＣＡＳ）（すなわち、単一ノードシステム）と違い、多重ノードシステムにおいて複数のノードは一般に一定間隔以上離れて位置する。これらの複数のノードは、各ノードの動作を制御したり、各ノードを通して送信／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ，ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロセル／フェムトセル／ピコセル）システムと見なすことができる。複数のノードのそれぞれが形成した多重セルがカバレッジによってオーバーレイする形態で構成されると、これらの多重セルが形成したネットワークを特に多重階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２９】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの実装の形態などによって、多重ノードシステム間には差異点があるが、複数のノードが共に所定の時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３０】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ＴＸ／ＲＸ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別でき、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３１】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＴＥ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００３２】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３３】
図１は、無線通信システムで用いられる無線フレーム構造の一例を示す図である。特に、図１（ａ）は、３ＧＰＰ ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ，ＦＤＤ）用フレーム構造を示し、図１（ｂ）は、３ＧＰＰ ＬＴＥ／ＬＴＥ−Ａシステムで用いられる時間分割デュプレックス（ｔｉｍｅ  ｄｉｖｉｓｉｏｎ  ｄｕｐｌｅｘ，ＴＤＤ）用フレーム構造を示す。
【００３４】
図１を参照すると、３ＧＰＰ ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ，ＳＦ）で構成される。１無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ，ＴＴＩ）と定義される。時間リソースは、無線フレーム番号（或いは、無線フレームインデックスともいう）、サブフレーム番号（或いは、サブフレーム番号ともいう）、スロット番号（或いは、スロットインデックスともいう）などによって区別することができる。
【００３５】
無線フレームは、デュプレックス（ｄｕｐｌｅｘ）技法によって別々に構成（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３６】
表１は、ＴＤＤで、無線フレームにおけるサブフレームのＤＬ−ＵＬ構成（ｃｏｎｆｉｇｕｒａｔｉｏｎ）を例示するものである。
【００３７】
【表１】
2019537345.tif 000003
【００３８】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成（ｃｏｎｆｉｇｕｒａｔｉｏｎ）を例示するものである。
【００３９】
【表２】
2019537345.tif 000004
【００４０】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００４１】
図２を参照すると、スロットは、時間ドメインで複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメインで複数のリソースブロック（ｒｅｓｏｕｒｃｅ  ｂｌｏｃｋ，ＲＢ）を含む。ＯＦＤＭシンボルは、１シンボル区間を意味することもある。図２を参照すると、各スロットで送信される信号は、
2019537345.tif 000005
*
2019537345.tif 000006
個の副搬送波（ｓｕｂｃａｒｒｉｅｒ）と
2019537345.tif 000007
個のＯＦＤＭシンボルとで構成されるリソース格子（ｒｅｓｏｕｒｃｅ  ｇｒｉｄ）と表現することができる。ここで、
2019537345.tif 000008
は、下りリンクスロットにおけるリソースブロック（ｒｅｓｏｕｒｃｅ  ｂｌｏｃｋ，ＲＢ）の個数を表し、
2019537345.tif 000009
は、ＵＬスロットにおけるＲＢの個数を表す。
2019537345.tif 000010
と
2019537345.tif 000011
は、ＤＬ送信帯域幅とＵＬ送信帯域幅にそれぞれ依存する。
2019537345.tif 000012
は、下りリンクスロットにおけるＯＦＤＭシンボルの個数を表し、
2019537345.tif 000013
は、ＵＬスロットにおけるＯＦＤＭシンボルの個数を表す。
2019537345.tif 000014
は、１つのＲＢを構成する副搬送波の個数を表す。
【００４２】
ＯＦＤＭシンボルは、多重接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ（ｃｙｃｌｉｃ  ｐｒｅｆｉｘ）長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
2019537345.tif 000015
*
2019537345.tif 000016
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及び直流（Ｄｉｒｅｃｔ  Ｃｕｒｒｅｎｔ，ＤＣ）成分のためのヌル（ｎｕｌｌ）副搬送波に分類することができる。ＤＣ成分のためのヌル副搬送波は、未使用のまま残される副搬送波であり、ＯＦＤＭ信号生成過程或いは周波数上り変換過程で搬送波周波数（ｃａｒｒｉｅｒ  ｆｒｅｑｕｅｎｃｙ，ｆ０）にマッピング（ｍａｐｐｉｎｇ）される。搬送波周波数は中心周波数（ｃｅｎｔｅｒ  ｆｒｅｑｕｅｎｃｙ）と呼ばれることもある。
【００４３】
１ＲＢは、時間ドメインで
2019537345.tif 000017
個（例えば、７個）の連続するＯＦＤＭシンボルと定義され、周波数ドメインでｃ個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ，ＲＥ）或いはトーン（ｔｏｎｅ）という。したがって、１つのＲＢは、
2019537345.tif 000018
*
2019537345.tif 000019
個のリソース要素で構成される。リソース格子における各リソース要素は、１つのスロットにおけるインデックス対（ｋ，１）によって固有に定義できる。ｋは、周波数ドメインで０から
2019537345.tif 000020
*
2019537345.tif 000021
−１まで与えられるインデックスであり、ｌは、時間ドメインで０から
2019537345.tif 000022
−１まで与えられるインデックスである。
【００４４】
１サブフレームにおいて
2019537345.tif 000023
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ，ＰＲＢ）対（ｐａｉｒ）という。ＰＲＢ対を構成する２個のＲＢは、同一のＰＲＢ番号（或いは、ＰＲＢインデックス（ｉｎｄｅｘ）ともいう）を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マッピングされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０から
2019537345.tif 000024
−１の順に番号が与えられ、
2019537345.tif 000025
＝
2019537345.tif 000026
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４５】
図３は、３ＧＰＰ ＬＴＥ／ＬＴＥ−Ａシステムで用いられる下りリンク（ｄｏｗｎｌｉｎｋ，ＤＬ）サブフレーム構造を例示する図である。
【００４６】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４７】
ＰＤＣＣＨを介して送信される制御情報を上りリンク制御情報（ｄｏｗｎｌｉｎｋ ｃｏｎｔｒｏｌ ｉｎｆｏｒｍａｔｉｏｎ，ＤＣＩ）と呼ぶ。ＤＣＩは、ＵＥ又はＵＥグループのためのリソース割り当て情報及び他の制御情報を含む。例えば、ＤＣＩは、ＤＬ共有チャネル（ｄｏｗｎｌｉｎｋ  ｓｈａｒｅｄ  ｃｈａｎｎｅｌ，ＤＬ−ＳＣＨ）の送信フォーマット及びリソース割り当て情報、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報、ページングチャネル（ｐａｇｉｎｇ  ｃｈａｎｎｅｌ，ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割り当て情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄ  ｃｈａｎｎｅｌ，ＤＬ−ＳＣＨ）の送信フォーマット（Ｔｒａｎｓｍｉｔ  Ｆｏｒｍａｔ）及びリソース割り当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在、３ＧＰＰ ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（ＲＢ  ａｌｌｏｃａｔｉｏｎ）、ＭＣＳ（ｍｏｄｕｌａｔｉｏｎ  ｃｏｄｉｎｇ ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環シフトＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要求、ＤＬ割り当てインデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組み合わせが下りリンク制御情報としてＵＥに送信される。
【００４８】
一般に、ＵＥに構成された送信モード（ｔｒａｎｓｍｉｓｓｉｏｎ  ｍｏｄｅ，ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定のＤＣＩフォーマットのみを用いることができる。
【００４９】
ＰＤＣＣＨは、１つ又は複数の連続した制御チャネル要素（ｃｏｎｔｒｏｌ  ｃｈａｎｎｅｌ  ｅｌｅｍｅｎｔ，ＣＣＥ）の集成（アグリゲーション、ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割り当てユニット（ｕｎｉｔ）である。ＣＣＥは、複数のリソース要素グループ（ｒｅｓｏｕｒｃｅ  ｅｌｅｍｅｎｔ  ｇｒｏｕｐ，ＲＥＧ）に対応する。例えば、１ＣＣＥは９個のＲＥＧに対応し、１ＲＥＧは４個のＲＥに対応する。３ＧＰＰ ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ，ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。以下の表は、探索空間を定義する集成レベル（アグリゲーションレベル、ａｇｇｒｅｇａｔｉｏｎ  ｌｅｖｅｌ）を例示するものである。
【００５０】
【表３】
2019537345.tif 000027
【００５１】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ，ＢＤ））という。
【００５２】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ（Ｐｈｙｓｉｃａｌ  Ｄｏｗｎｌｉｎｋ  Ｓｈａｒｅｄ  ＣＨａｎｎｅｌ）を割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５３】
ＵＥがｅＮＢから受信した信号を復調するには、データ信号と比較する参照信号（ｒｅｆｅｒｅｎｃｅ  ｓｉｇｎａｌ，ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ  ＲＳ）とに区別される。ｅＮＢが特定ＵＥのための下りリンクデータの復調のために送信するＤＭ  ＲＳをＵＥ特定（ＵＥ−ｓｐｅｃｉｆｉｃ）ＲＳと特別に称することもできる。下りリンクでＤＭ  ＲＳとＣＲＳは共に送信されてもよいが、いずれか一方のみが送信されてもよい。ただし、下りリンクでＣＲＳ無しにＤＭ  ＲＳのみが送信される場合、データと同じプリコーダを適用して送信されるＤＭ  ＲＳは復調の目的にのみ用いることができるため、チャネル測定用ＲＳを別途に提供しなければならない。例えば、３ＧＰＰ ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、各サブフレーム毎に送信されるＣＲＳとは違い、複数のサブフレームで構成される所定の送信周期毎に送信される。
【００５４】
図４は、３ＧＰＰ ＬＴＥ／ＬＴＥ−Ａシステムで用いられる上りリンク（ｕｐｌｉｎｋ，ＵＬ）サブフレーム構造の一例を示す図である。
【００５５】
図４を参照すると、ＵＬサブフレームは、周波数ドメインで制御領域とデータ領域とに区別できる。１つ又は複数のＰＵＣＣＨ（ｐｈｙｓｉｃａｌ ｕｐｌｉｎｋ ｃｏｎｔｒｏｌ ｃｈａｎｎｅｌｓ）が上りリンク制御情報（ｕｐｌｉｎｋ ｃｏｎｔｒｏｌ ｉｎｆｏｒｍａｔｉｏｎ，ＵＣＩ）を運ぶために制御領域に割り当てられることができる。１つ又は複数のＰＵＳＣＨ（ｐｈｙｓｉｃａｌ ｕｐｌｉｎｋ ｓｈａｒｅｄ ｃｈａｎｎｅｌｓ）がユーザデータを運ぶためにＵＬサブフレームのデータ領域に割り当てられてもよい。
【００５６】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５７】
ＰＵＣＣＨは、次の制御情報を送信するために用いることができる。
【００５８】
− ＳＲ（Ｓｃｈｅｄｕｌｉｎｇ  Ｒｅｑｕｅｓｔ）：上りリンクＵＬ−ＳＣＨリソースを要求するために用いられる情報である。ＯＯＫ（Ｏｎ−Ｏｆｆ  Ｋｅｙｉｎｇ）方式を用いて送信される。
【００５９】
− ＨＡＲＱ−ＡＣＫ：ＰＤＣＣＨに対する応答及び／又はＰＤＳＣＨ上の下りリンクデータパケット（例えば、コードワード）に対する応答である。ＰＤＣＣＨ或いはＰＤＳＣＨの受信に成功したか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６０】
− ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００６１】
ＵＥがサブフレームで送信可能な上りリンク制御情報（ＵＣＩ）の量は、制御情報送信に利用可能なＳＣ−ＦＤＭＡの個数に依存する。ＵＣＩに利用可能なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００６２】
下記の表４に、ＬＴＥ／ＬＴＥ−ＡシステムにおけるＰＵＣＣＨフォーマットとＵＣＩとのマッピング関係を示す。
【００６３】
【表４】
2019537345.tif 000028
【００６４】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ｃｈａｎｎｅｌ  ｓｔａｔｅ  ｉｎｆｏｒｍａｔｉｏｎ，ＣＳＩ）を運ぶために用いられ、ＰＵＣＣＨフォーマット３系列はＡＣＫ／ＮＡＣＫ情報を送信するために用いられる。
【００６５】
参照信号（Ｒｅｆｅｒｅｎｃｅ  Ｓｉｇｎａｌ；ＲＳ）
【００６６】
無線通信システムにおいてパケットを送信する時、パケットは無線チャネルを通じて送信されるため、送信過程で信号の歪みが発生することがある。歪んだ信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６７】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート（ａｎｔｅｎｎａ  ｐｏｒｔ）別に異なった参照信号が存在しなければならない。
【００６８】
参照信号は上りリンク参照信号と下りリンク参照信号とに区別できる。現在、ＬＴＥシステムには、上りリンク参照信号として、
【００６９】
i）ＰＵＳＣＨ及びＰＵＣＣＨを通じて送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ，ＤＭ−ＲＳ）
【００７０】
ii）基地局が、ネットワークの異なる周波数における上りリンクチャネル品質を測定するためのサウンディング参照信号（Ｓｏｕｎｄｉｎｇ  Ｒｅｆｅｒｅｎｃｅ  Ｓｉｇｎａｌ，ＳＲＳ）がある。
【００７１】
一方、下りリンク参照信号としては、
【００７２】
i）セル内の全ての端末が共有するセル特定参照信号（Ｃｅｌｌ−ｓｐｅｃｉｆｉｃ  Ｒｅｆｅｒｅｎｃｅ  Ｓｉｇｎａｌ，ＣＲＳ）
【００７３】
ii）特定端末だけのための端末特定参照信号（ＵＥ−ｓｐｅｃｉｆｉｃ  Ｒｅｆｅｒｅｎｃｅ  Ｓｉｇｎａｌ）
【００７４】
iii）ＰＤＳＣＨが送信される場合に、コヒーレントな復調のために送信される（ＤｅＭｏｄｕｌａｔｉｏｎ−Ｒｅｆｅｒｅｎｃｅ  Ｓｉｇｎａｌ，ＤＭ−ＲＳ）
【００７５】
iv）下りリンクＤＭＲＳが送信される場合に、チャネル状態情報（Ｃｈａｎｎｅｌ  Ｓｔａｔｅ  Ｉｎｆｏｒｍａｔｉｏｎ；ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）
【００７６】
v）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
【００７７】
vi）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００７８】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することが可能になる。この参照信号は、データの送信される領域で送信されなければならない。
【００７９】
上述したレイテンシ減少、すなわちローレイテンシ（ｌｏｗ ｌａｔｅｎｃｙ）を満たすために、データ送信の最小単位であるＴＴＩを減らして０．５ｍｓｅｃ以下の短い（ｓｈｏｒｔｅｎｅｄ）ＴＴＩ（ｓＴＴＩ）を新たにデザインする必要がある。例えば、図５のように、ｅＮＢがデータ（ＰＤＣＣＨ及びＰＤＳＣＨ）の送信を開始して、ＵＥがＡ／Ｎ（ＡＣＫ／ＮＡＣＫ）の送信を完了するまでのユーザプレーン（Ｕｓｅｒ ｐｌａｎｅ；Ｕ−ｐｌａｎｅ）レイテンシを１ｍｓｅｃに減らすためには、約３ＯＦＤＭシンボルを単位としてｓＴＴＩを構成してもよい。 
【００８０】
下りリンク環境では、このようなｓＴＴＩ内でデータの送信／スケジューリングのためのＰＤＣＣＨ（すなわち、ｓＰＤＣＣＨ）と、ｓＴＴＩ内で送信が行われるＰＤＳＣＨ（すなわち、ｓＰＤＳＣＨ）が送信されてもよく、例えば、図６のように、１つのサブフレーム内に複数のｓＴＴＩが互いに異なるＯＦＤＭシンボルを用いて構成されてもよい。具体的に、ｓＴＴＩを構成するＯＦＤＭシンボルはレガシー制御チャネルが送信されるＯＦＤＭシンボルを除いて構成されてもよい。ｓＴＴＩ内においてｓＰＤＣＣＨとｓＰＤＳＣＨの送信は、互いに異なるＯＦＤＭシンボル領域を用いてＴＤＭ（ｔｉｍｅ ｄｉｖｉｓｉｏｎ ｍｕｌｔｉｐｌｅｘｉｎｇ）された形態で送信されてもよく、互いに異なるＰＲＢ領域／周波数リソースを用いてＦＤＭ（ｆｒｅｑｕｅｎｃｙ ｄｉｖｉｓｉｏｎ ｍｕｌｔｉｐｌｅｘｉｎｇ）された形態で送信されてもよい。
【００８１】
本明細書においては、ＬＴＥ／ＬＴＥ−Ａシステムに基づいて発明を説明する。従来のＬＴＥ／ＬＴＥ−Ａで１ｍｓのサブフレームは、正規ＣＰを有する場合に１４個のＯＦＤＭシンボルからなり、これを１ｍｓよりも短い単位で構成する場合、１つのサブフレーム内に複数のＴＴＩを構成することができる。複数のＴＴＩを構成する方式は、以下の図７に示した実施例のように、２シンボル、３シンボル、４シンボル、７シンボルを１つのＴＴＩとして構成することができる。図示を省略するが、１シンボルをＴＴＩとする場合も考えられる。１シンボルを１つのＴＴＩ単位とする場合、２個のＯＦＤＭシンボルにレガシーＰＤＣＣＨを送信するという仮定の下において、１２個のＴＴＩが生成される。同様に、図７（ａ）のように、２シンボルを１つのＴＴＩ単位とする場合、６個のＴＴＩ、図７（ｂ）のように、３シンボルを１つのＴＴＩ単位とする場合、４個のＴＴＩ、図７（ｃ）のように、４シンボルを１つのＴＴＩ単位とする場合、３個のＴＴＩを生成することができる。もちろん、この場合、最初の２個のＯＦＤＭシンボルはレガシーＰＤＣＣＨが送信されると仮定する。 
【００８２】
図７（ｄ）のように、７シンボルを１つのＴＴＩ単位とする場合、レガシーＰＤＣＣＨを含む７個のシンボル単位のＴＴＩの１つと後ろの７個のシンボルが１つのＴＴＩで構成されてもよい。このとき、ｓＴＴＩを支援する端末の場合、１つのＴＴＩが７シンボルからなる場合、１つのサブフレームの前端に位置するＴＴＩ（１番目のスロット）は、レガシーＰＤＣＣＨが送信される前端の２個のＯＦＤＭシンボルに対してパンクチャリング（ｐｕｎｃｔｕｒｅ）又はレートマッチング（ｒａｔｅ−ｍａｔｃｈｉｎｇ）されたと仮定して、以後の５個のシンボルに自身のデータ及び／又は制御情報が送信されると仮定する。これに対して、１つのサブフレームの後端に位置するＴＴＩ（２番目のスロット）に対して、端末はパンクチャリング又はレートマッチングするリソース領域無しに７個の全てのシンボルにデータ及び／又は制御情報が送信され得ると仮定する。
【００８３】
また、本発明では、２つのＯＦＤＭシンボル（以下、「ＯＳ」という）からなるｓＴＴＩと３つのＯＳからなるｓＴＴＩとが、図８のように、１つのサブフレーム内に混合して存在するｓＴＴＩも考慮する。このような２−ＯＳ又は３−ＯＳ ｓＴＴＩからなるｓＴＴＩを、単に２シンボルｓＴＴＩ（すなわち、２−ＯＳ ｓＴＴＩ）と定義してもよい。 図８（ａ）に示された＜３，２，２，２，２，３＞ｓＴＴＩパターンでは、ＰＤＣＣＨのシンボル数に応じてｓＰＤＣＣＨが送信されてもよい。図８（ｂ）の＜２，３，２，２，２，３＞ｓＴＴＩパターンは、レガシーＰＤＣＣＨ領域のためにｓＰＤＣＣＨの送信が難しいことがある。
【００８４】
３シンボルＴＴＩのためのＵＣＩマッピング（ＵＣＩ  ｍａｐｐｉｎｇ  ｆｏｒ  ３−ｓｙｍｂｏｌ  ＴＴＩ）
【００８５】
特定のＴＴＩ長が設定された端末の場合、特に小さいシンボルのＴＴＩ長、ＰＵＳＣＨで送信されるＵＣＩのマッピング規則の定義が既存のものとは異なり得る。また、短いＴＴＩ長を有するＴＴＩの場合、ｓＴＴＩごとに一シンボルのＤＭ−ＲＳを送信することは、送信効率の観点から好ましくない。よって、１つの端末に連続した複数のｓＴＴＩがスケジューリングされる場合、各ｓＴＴＩのＤＭ−ＲＳの送信可否をネットワークが動的にシグナリングで指示する動的ＤＭ−ＲＳ挿入（ｉｎｓｅｒｔｉｏｎ）方法が考慮されており、この場合、ＤＭ−ＲＳの送信可否によるＵＣＩマッピングの規則が定義される必要がある。
【００８６】
図８に示すように、ＬＴＥを基準として１４個のＳＣ−ＦＤＭＡシンボルからなる１つのサブフレームが｛３，２，２，２，２，３｝又は｛２，２，３，２，２，３｝のシンボルからなるように、すなわち、６個のｓＴＴＩで１つのサブフレームが構成されるようにする方法が考慮されている。
【００８７】
具体的に、３シンボルからなる１つのＴＴＩ（すなわち、ｓＴＴＩ）において、ＤＭ−ＲＳシンボルが中央のシンボルに位置する場合のＵＣＩマッピング方法を提案する。
【００８８】
３シンボルからなる１つのＴＴＩにおいて、ＤＭ−ＲＳシンボルが中央シンボルに位置する場合のＵＣＩマッピング
【００８９】
Ａｌｔ  １：３シンボルからなる１つのＴＴＩにおいて、ＤＭ−ＲＳシンボルが中央シンボルに位置する場合、２つのデータシンボルのうち、一方のシンボルにおいて最高の周波数（又は、サブキャリア）インデックスから降順にＲＩがマッピングされ、他方のシンボルにおいて最高の周波数（又は、サブキャリア）インデックスから降順にＨＡＲＱ−ＡＣＫがマッピングされるように規則が定義されてもよい。ＣＱＩ／ＰＭＩは、従来と同様に、時間第１、周波数第２の方式（ｔｉｍｅ−ｆｉｒｓｔ  ｆｒｅｑｕｅｎｃｙ−ｓｅｃｏｎｄ  ｍａｎｎｅｒ）で最低のインデックスのシンボルの最低の周波数（又は、サブキャリア）インデックスからマッピングされることができる。最後のシンボルにＳＲＳがマッピングされることもあるため、具体的に、ＳＲＳがマッピングされ得るシンボルではない他のシンボルにＨＡＲＱ−ＡＣＫがマッピングされるように規則が定義されてもよい。
【００９０】
Ａｌｔ  ２：３シンボルからなる１つのＴＴＩにおいて、ＤＭ−ＲＳシンボルが中央シンボルに位置する場合、２つのデータシンボルのうち、一方のシンボルにおいて最低の周波数インデックスから昇順にＲＩがマッピングされ、他方のシンボルにおいて最低の周波数インデックスから昇順にＣＱＩ／ＰＭＩがマッピングされるように規則が定義されてもよい。ＨＡＲＱ−ＡＣＫはＣＱＩ／ＰＭＩがマッピングされたシンボルの最高の周波数（又は、サブキャリア）インデックスからマッピングされたシンボルの最高の周波数（又は、サブキャリア）インデックスから降順にマッピングされるように規則が定義されることができる。これはＣＱＩ／ＰＭＩよりもＲＩの優先順位を高くして、ＨＡＲＱ−ＡＣＫマッピング時に発生するパンクチャリング（ｐｕｎｃｔｕｒｉｎｇ）からＲＩを保護するためである。同様に、最後のシンボルにはＳＲＳがマッピングされ得るため、具体的に、ＳＲＳがマッピングされ得るシンボルではない他のシンボルにＨＡＲＱ−ＡＣＫとＣＱＩ／ＰＭＩがマッピングされるように規則が定義されてもよい。また、ＲＩとＣＱＩ／ＰＭＩの優先順位を同等として、時間第１、周波数第２の方式（ｔｉｍｅ−ｆｉｒｓｔ  ｆｒｅｑｕｅｎｃｙ−ｓｅｃｏｎｄ  ｍａｎｎｅｒ）の逆順にＨＡＲＱ−ＡＣＫによってパンクチャリングされるように規則が定義されてもよい。
【００９１】
３シンボルからなる１つのＴＴＩにおいて、ＤＭ−ＲＳシンボルが最初又は最後のシンボルに位置する場合のＵＣＩマッピング
【００９２】
Ａｌｔ  １：ＳＲＳ送信の有無によってＵＣＩマッピングの定義が異なり得る。以下、｛Ａ，Ｂ，Ｃ｝は３シンボルＴＴＩにおいて、それぞれ、第１番目（Ａ）、第２番目（Ｂ）、第３番目（Ｃ）のシンボルで送信される情報（ＲＳ又はデータなど）を称する。一例として、ＳＲＳが送信されず、｛ＲＳ、データ、データ｝で構成されたＴＴＩの場合、ＨＡＲＱ−ＡＣＫはＤＭ−ＲＳと最も近いシンボルに最高の周波数（又は、サブキャリア）インデックスから降順にマッピングされ、ＲＩはＤＭ−ＲＳと２番目に近いシンボルに最高の周波数（又は、サブキャリア）インデックスから降順にマッピングされ、ＣＱＩ／ＰＭＩは時間第１、周波数第２の方式によって、最低の周波数（又は、サブキャリア）インデックスから昇順にマッピングされることができる。
【００９３】
２つのデータシンボルのうち、一方でＳＲＳが送信される場合、他方のデータシンボルにＨＡＲＱ−ＡＣＫ、ＲＩ、ＣＱＩ／ＰＭＩがマッピングされることができる。また、２つのデータシンボルのうち、一方でＳＲＳが送信される場合、一方のデータシンボルに優先順位の高い一部のＵＣＩのみが送信され、残りのＵＣＩはドロップ（ｄｒｏｐ）されるように規則が定義されてもよい。このとき、ＵＣＩの優先順位は、ＨＡＲＱ−ＡＣＫ＞ＲＩ＞ＣＱＩ／ＰＭＩであってもよい。この優先順位に従って、優先順位の低い一部のＵＣＩのドロップは、ＳＲＳの送信有無とは関係なく、他の代替案又は実施例にも同様に適用することができ、このドロップ動作は、ｓＰＵＳＣＨのために割り当てられたＰＲＢ数及び／又はＵＬ  ｓＴＴＩ長及び／又はＵＬ承認受信−ｔｏ−ＵＬデータ送信タイミングなどによって決定することができる。
【００９４】
Ａｌｔ  ２：ＳＲＳの送信有無とは関係なく、同一のＵＣＩマッピングが定義されることができる。
【００９５】
Ａｌｔ  ３：ＳＲＳ送信のＴＴＩにおいてＤＭ−ＲＳは存在しない場合、ＵＣＩはドロップされるか、又はＤＭ−ＲＳが存在するときと同一のマッピングが適用されるように規則が定義されることができる。
【００９６】
シンボル内の一部のＲＥにおけるＵＣＩマッピング
【００９７】
特定のＴＴＩ長（例えば、２シンボルＴＴＩ）の場合、ＤＭ−ＲＳがＴＴＩにおける一シンボルにのみマッピングされてＯＣＣ（ｏｒｔｈｏｇｏｎａｌ  ｃｏｖｅｒ  ｃｏｄｅ）を活用したＤＭ−ＲＳ間の直交性（ｏｒｔｈｏｇｏｎａｌｉｔｙ）の確保が容易ではない可能性がある。これを補完するために、１つのＰＵＳＣＨに該当するＤＭ−ＲＳがＲＢにおける全体のＲＥにマッピングされず、一部のＲＥでのみマッピングされる方法が考慮されている。一例として、２つのＴＴＩに互いに異なるＵＥにＰＵＳＣＨがそれぞれスケジューリングされ、それぞれのＰＵＳＣＨを復調するためのＤＭ−ＲＳが１つのシンボルで送信される場合、１つのＰＵＳＣＨのためのＤＭ−ＲＳが偶数（ｅｖｅｎ）インデックスのＲＥにマッピングされ、その他の１つのＰＵＳＣＨのためのＤＭ−ＲＳが奇数（ｏｄｄ）インデックスのＲＥにマッピングされることができる。このＤＭ−ＲＳ送信をＩＦＤＭＡ（ｉｎｔｅｒｌｅａｖｅｄ  ＳＣ−ＦＤＭＡ）と呼ぶ。
【００９８】
ＩＦＤＭＡベースのＤＭ−ＲＳ送信が適用された場合、当該ＤＭ−ＲＳに対応するＰＵＳＣＨにマッピングされるＵＣＩの送信方法を提案する。ＵＣＩのよりロバスト（ｒｏｂｕｓｔ）な送信のために、ＤＭ−ＲＳが送信されないＲＥと同一の周波数（又は、サブキャリア）インデックスのＲＥにはＵＣＩがマッピングされず、ＤＭ−ＲＳが送信されるＲＥと同一の周波数（又は、サブキャリア）インデックスのＲＥにのみＵＣＩが順次にマッピングされるように規則が定義されてもよい。具体的に、ＤＭ−ＲＳが送信されるＲＥと同一の周波数（又は、サブキャリア）インデックスのＲＥにのみＵＣＩが順次にマッピングされる規則は、予め定義された一部のＵＣＩに限って適用することができ、一例として（周波数インデックスが時間よりも先にマッピングに適用される）ＨＡＲＱ−ＡＣＫ及び／又はＲＩマッピングにのみ限定されるように規則が定義されてもよい。
【００９９】
動的ＤＭ−ＲＳ挿入におけるＵＣＩマッピング
【０１００】
動的ＤＭ−ＲＳ挿入によって、ＤＭ−ＲＳとＰＵＳＣＨデータが共に送信されるＴＴＩと、ＰＵＳＣＨデータのみが送信されるＴＴＩが存在することがあり、よって、ＵＣＩマッピング規則は、以下のように定義されてもよい。
【０１０１】
Ａｌｔ  １：ＤＭ−ＲＳの存否とは関係なく、特定のＴＴＩにおけるＵＣＩマッピングは同様に適用されるように規則が定義されてもよい。これは端末の複雑さの影響を最小化するためであり得る。一例として、ＤＭ−ＲＳがＴＴＩ内の第１番目のシンボルに位置してもよく位置しなくてもよいＴＴＩにおいて、ＨＡＲＱ−ＡＣＫは、ＤＭ−ＲＳが送信されるか否かとは関係なく、常にＴＴＩ内の第２番目のシンボルにマッピングされるように規則が定義されてもよい。
【０１０２】
Ａｌｔ  ２：ＤＭ−ＲＳが送信されず、データのみが存在するＴＴＩの場合、特定のＵＣＩのみを送信して、残りのＵＣＩはドロップされるように規則が定義されてもよい。一例として、ＨＡＲＱ−ＡＣＫは送信され、優先順位が相対的に低いＲＩ、ＣＱＩ／ＰＭＩはドロップされたり、又はＨＡＲＱ−ＡＣＫとＲＩは送信されてＣＱＩ／ＰＭＩはドロップされるように規則が定義されてもよい。
【０１０３】
Ａｌｔ  ３：（ｓ）ＰＵＳＣＨと（ｓ）ＰＵＣＣＨの同時送信能力（ｃａｐａｂｉｌｉｔｙ）及び／又は（ｓ）ＰＵＳＣＨと（ｓ）ＰＵＣＣＨの同時送信設定可否によって、ＤＭ−ＲＳが存在せず、データのみが送信されるＴＴＩにおけるＵＣＩ送信規則の定義が異なってもよい。詳細には、（ｓ）ＰＵＳＣＨと（ｓ）ＰＵＣＣＨの同時送信能力があり、及び／又はネットワークから（ｓ）ＰＵＳＣＨと（ｓ）ＰＵＣＣＨの同時送信が設定されても、ＤＭ−ＲＳが存在せず、データのみが送信されるＴＴＩに限って、ＵＣＩは（ｓ）ＰＵＣＣＨで送信されるように規則が定義されてもよい。そうではない場合、ＤＭ−ＲＳが存在せず、データのみが送信されるＴＴＩに限って、ＰＵＳＣＨはドロップされて、ＵＣＩも共にドロップされるか（ｓ）ＰＵＣＣＨで送信されてもよい。
【０１０４】
また、２又は３シンボルのＵＬ送信の場合、以下のようにＤＭＲＳの配置がｓＴＴＩ＃ｎ−ｘにおけるＵＬ承認によって指示され、当該ＵＬ承認は、ｓＴＴＩ＃ｎにおけるｓＰＵＳＣＨをスケジューリングする。ここで、ｘは、ＰＵＣＣＨグループのために設定されたプロセッシング時間に該当する。
【０１０５】
【表５】
2019537345.tif 000029
【０１０６】
Ａｌｔ  ４：ＤＭ−ＲＳが送信されず、データのみが存在するＴＴＩの場合、端末は当該ＴＴＩ以前のＴＴＩ（或いは、以後のＴＴＩ又は予め約束されたタイミングのＴＴＩ）にＤＭＲＳシンボルが復調に用いられるとみなして、特定のＵＣＩのマッピングが決定されてもよい。すなわち、具体的な一例として、実際に基地局が復調に用いるＤＭＲＳは当該ＴＴＩ以後であっても、これとは関係なく、ＵＣＩがマッピングされるＴＴＩにデータのみが存在する場合、ＤＭＲＳが当該ＴＴＩ以前のＴＴＩにあるとみなして、ＵＣＩをマッピングするように規則が定義されてもよい。
【０１０７】
例えば、ｓＴＴＩ＃１＝｛Ｄ  Ｄ｝である場合、ｓＴＴＩ＃０にＤＭＲＳがあるとみなして、ｓＴＴＩ＃１の第１番目のシンボルにはＨＡＲＱ−ＡＣＫがマッピングされ、第２番目のシンボルにはＲＩ及び／又はＣＱＩ／ＰＭＩがマッピングされることができる。より一般には、ＤＭＲＳがあるとみなされたＴＴＩとより近い方のシンボルに、より高い優先順位を有するＵＣＩがマッピングされるように規則が定義されてもよい。
【０１０８】
Ａｌｔ  ５：ＵＬ承認ＤＣＩを介してＤＭＲＳ位置が指示される場合、当該ＤＭＲＳ位置シグナリング及び／又はｓＴＴＩインデックスによって、ＵＣＩマッピング規則の定義が異なってもよい。
【０１０９】
一例として、｛Ｄ  Ｄ｝の場合、ＤＭＲＳが当該ＴＴＩの以前にあるとみなし、第１番目のシンボルにより高い優先順位を有するＵＣＩがマッピングされることができる。より詳細には、第１番目のシンボルにはＨＡＲＱ−ＡＣＫがマッピングされ、第２番目のシンボルにはＲＩ及び／又はＣＱＩ／ＰＭＩがマッピングされることができる。一方、｛Ｄ  Ｄ  |  Ｒ}の場合、ＤＭＲＳが当該ＴＴＩ以後にあるとみなして、第２番目のシンボルにより高い優先順位を有するＵＣＩがマッピングされることができる。より詳細には、第１番目のシンボルにはＲＩ及び／又はＣＱＩ／ＰＭＩがマッピングされ、第２番目のシンボルにはＨＡＲＱ−ＡＣＫがマッピングされることができる。
【０１１０】
別の一例として、ｓＴＴＩ＃１、ｓＴＴＩ＃２の｛Ｄ  Ｄ｝はＤＭＲＳが当該ＴＴＩ以前にあるとみなして、第１番目のシンボルにより高い優先順位を有するＵＣＩがマッピングされる反面、ｓＴＴＩ＃４の｛Ｄ  Ｄ｝はＤＭＲＳが当該ＴＴＩ以後にあるとみなして、第２番目のシンボルにより高い優先順位を有するＵＣＩがマッピングされることができる。
【０１１１】
複数のＵＬチャネルが重なる場合における処理方法
【０１１２】
異なるニューマロロジー及び／又はＴＴＩ長及び／又はプロセッシング時間を有する複数のＵＬチャネル送信タイミングが時間上において重なる場合、特定のニューマロロジー及び／又はＴＴＩ長及び／又はプロセッシング時間を有するチャネル（第１のチャネル）の全部又は一部がドロップ／中止され、残りのチャネル（第２のチャネル）のみが送信されることができる。具体的に、より長いＴＴＩ長を有する第１のチャネルと、第１のチャネルに比べて短いＴＴＩ長を有する複数の第２のチャネル（グループ）の送信タイミングが重なる場合、第１のチャネルのＵＣＩを全部又は一部の第２のチャネルで送信する方法を提案する。一例として、この場合、１つの１ｍｓのＴＴＩ  ＰＵＳＣＨ（又は、ＰＵＣＣＨ）と複数の２シンボルＴＴＩ  ｓＰＵＳＣＨ（又は、ｓＰＵＣＣＨ或いはｓＰＵＳＣＨとｓＰＵＣＣＨの組み合わせ）が特定のサブフレームにおいて送信タイミングが重なる場合を含むことができる。
【０１１３】
Ａｌｔ  １：第１のチャネルのＵＣＩタイプ（ｔｙｐｅ）によって、複数の第２のチャネルのうちピギーバック（ｐｉｇｇｙｂａｃｋ）されるチャネルが決定されるように規則が定義されてもよい。具体的に、第１のチャネルのＵＣＩタイプの優先順位が高い順に、複数の第２のチャネルのうちピギーバックされるチャネルの優先順位が高い第２のチャネルにピギーバックされるように規則が定義されてもよい。一例として、第１のチャネルのより高い優先順位を有するＵＣＩ（例えば、ＨＡＲＱ−ＡＣＫ）は、第２のチャネルのうち優先順位が高いチャネルでピギーバックされることができる。このとき、第２のチャネルの優先順位は、ｓＰＵＳＣＨ  ｗｉｔｈ  ｓｅｌｆ−ｃｏｎｔａｉｎｅｄ  ＤＭ−ＲＳ＞ｓＰＵＣＣＨ＞ｓＰＵＳＣＨ  ｗｉｔｈｏｕｔ  ｓｅｌｆ−ｃｏｎｔａｉｎｅｄ  ＤＭ−ＲＳ、又は、ｓＰＵＳＣＨ  ｗｉｔｈ  ｓｅｌｆ−ｃｏｎｔａｉｎｅｄ  ＤＭ−ＲＳ＞ｓＰＵＳＣＨ  ｗｉｔｈｏｕｔ  ｓｅｌｆ−ｃｏｎｔａｉｎｅｄ  ＤＭ−ＲＳ＞ｓＰＵＣＣＨの順に定義されることができる。  
【０１１４】
より一般には、第１のチャネルのＵＣＩが複数の第２のチャネルのうちピギーバックされるチャネルの優先順位が高い第２のチャネルに優先してピギーバックされるように規則が定義されることができる。このとき、第１のチャネルのＵＣＩは、ドロップなく、いずれも第２のチャネルにピギーバックされるか、又は第１のチャネルのＵＣＩのうち優先順位が高い一部のみ複数の第２のチャネルにピギーバックされるように規則が定義されてもよい。また、第１のチャネルのＵＣＩのうち全部又は一部は、複数の第２のチャネルのうち優先順位が高い一部のチャネルにのみピギーバックされるように規則が定義されてもよい。第１のチャネルのＵＣＩタイプによる優先順位は、ＨＡＲＱ−ＡＣＫ＞ＲＩ＞ＣＱＩ／ＰＭＩと定義されることができる。
【０１１５】
Ａｌｔ  ２：また別の方法としては、第１のチャネルのＵＣＩタイプの優先順位が高い順に複数の第２のチャネルのうちピギーバックされるチャネルの送信時間順にピギーバックされるように規則が定義されてもよい。一例として、第１のチャネルのＨＡＲＱ−ＡＣＫは、複数の第２のチャネルのうち最初に重なるチャネルに優先してピギーバックされ、第１のチャネルのＲＩ及び／又はＣＱＩ／ＰＭＩは、その後に重なるチャネルに順次にピギーバックされるように定義されてもよい。
【０１１６】
Ａｌｔ  ３：第１のチャネルと重なる複数の第２のチャネルのＴＴＩ長によって、ピギーバックされる第１のチャネルのＵＣＩタイプが決定されるように規則が定義されてもよい。一例として、第１のチャネルと重なる複数の第２のチャネルが異なるＴＴＩ長を有する場合、第２のチャネルのうちより長いＴＴＩ長を有するｓＴＴＩ  ＵＬチャネルには、第１のチャネルのＲＩ及び／又はＣＱＩ／ＰＭＩがピギーバックされることができ、より短いＴＴＩ長を有するｓＴＴＩ  ＵＬチャネルには、第１のチャネルのＨＡＲＱ−ＡＣＫがピギーバックされることができる。すなわち、優先順位が高いＵＣＩタイプは、それより低い優先順位のＵＣＩタイプよりレイテンシがさらに短いチャネルでピギーバックされる。
【０１１７】
Ａｌｔ  ４：第１のチャネルのＵＣＩタイプによって、複数の第２のチャネルに第１のチャネルのＵＣＩが繰り返してピギーバックされるか否かが予め約束／定義されるか、又は上位層信号によって設定されてもよい。一例として、第１のチャネルのＨＡＲＱ−ＡＣＫに対しては、複数の第２のチャネルと重なる場合、全ての（又は、一部の）第２のチャネルに第１のチャネルのＨＡＲＱ−ＡＣＫがピギーバックされて繰り返し送信されることができる。具体的に、複数の第２のチャネルのうちＤＭ−ＲＳ自己完備的（ｓｅｌｆ−ｃｏｎｔａｉｎｅｄ）ｓＴＴＩに限って、第１のチャネルのＵＣＩをピギーバックする動作が適用されるように規則が定義されてもよい。逆に、ＤＭ−ＲＳが当該ｓＴＴＩに存在しないｓＴＴＩに限って、第１のチャネルのＵＣＩをピギーバックする動作が適用されるように規則が定義されてもよい。これは、ＤＭ−ＲＳ自己完備的ｓＴＴＩの場合、チャネル推定の精度が高くなり、より信頼度の高いＵＣＩ送信が可能であるが、当該ｓＴＴＩのコーディング率はＤＭ−ＲＳがｓＴＴＩに存在しないｓＴＴＩに比べて相対的に高い可能性があるため、トレードオフ（ｔｒａｄｅｏｆｆ）の関係にあるとみることができ、よって、２つのうち一方の規則が適用されるように予め定義して、端末がこれに従ってピギーバック動作を実行することができる。或いは、ネットワークが２つのうち一方を上位層（又は、物理層）信号によって設定することもできる。
【０１１８】
Ａｌｔ  ５：第２のチャネルのうちＤＭ−ＲＳ自己完備的ｓＴＴＩが複数である場合、そのうち最初に送信される第２のチャネルに優先して第１のチャネルのＵＣＩがピギーバックされるように規則が定義されてもよい。
【０１１９】
Ａｌｔ  ６：第２のチャネルのうちＤＭ−ＲＳ自己完備的ｓＴＴＩが複数である場合、そのうち最低のセルインデックス（又は、最高のセルインデックス或いは予め定義された優先順位が高いか、又は上位／物理層信号で指示されたセルインデックス）を有する第２のチャネルに優先して第１のチャネルのＵＣＩがピギーバックされるように規則が定義されてもよい。また、第１のチャネルのＵＣＩは、最低のセルインデックスから昇順に選択された複数の（又は、最高のセルインデックスから降順に選択された複数の或いは予め定義された優先順位の高い複数の或いは上位／物理層信号で指示された複数の）第２のチャネルにピギーバックされることもできるが、このとき、ピギーバックされる第２のチャネル数は、予め定義されるか、上位層信号又は物理層信号によって指示されることもできる。
【０１２０】
Ａｌｔ  ７：第１のチャネルと複数の第２のチャネル（ｇｒｏｕｐ）の送信タイミングが重なる場合、ＵＣＩを含まない第２のチャネルがＵＣＩを含んだチャネルよりも高い優先順位を有するように規則が定義されてもよい。一例として、第２のチャネルの優先順位は、ｓＰＵＳＣＨ  ｗｉｔｈｏｕｔ  ＵＣＩ＞ｓＰＵＳＣＨ  ｗｉｔｈ  ＵＣＩ＞ｓＰＵＣＣＨ、又は、ｓＰＵＳＣＨ  ｗｉｔｈｏｕｔ  ＵＣＩ＞ｓＰＵＣＣＨ＞ｓＰＵＳＣＨ  ｗｉｔｈ  ＵＣＩの順に定義されることができる。これは、ＵＣＩを含む第２のチャネルで第１のチャネルのＵＣＩがピギーバックされることを最小化するためであり得るが、ＵＣＩを含むチャネルで別のＵＣＩがピギーバックされる場合、ＵＣＩを含まないチャネルでピギーバックされるときよりも、さらに性能が劣化する可能性があるからである。
【０１２１】
上述したａｌｔのうち一部の（又は、全部の）組み合わせによって第１のチャネルのＵＣＩが複数の第２のチャネルのうち全て又は一部にピギーバックされて送信される場合の端末動作が定義されることができる。
【０１２２】
ＰＵＣＣＨ／ＰＵＳＣＨ及びｓＰＵＣＣＨ／ｓＰＵＳＣＨ間の衝突におけるＵＣＩ送信
【０１２３】
バンドリング（Ｂｕｎｄｌｉｎｇ）
【０１２４】
異なるニューマロロジー及び／又はＴＴＩ長及び／又はプロセッシング時間を有する複数のＵＬチャネルの送信タイミングが時間上において重なる場合、特定のニューマロロジー及び／又はＴＴＩ長及び／又はプロセッシング時間を有するチャネル（第１のチャネル）の全部又は一部がドロップ／中止され、残りのチャネル（第２のチャネル）のみが送信されることができる。具体的に、より長いＴＴＩ長を有する第１のチャネルと、第１のチャネルに比べて短いＴＴＩ長を有する（ｓ）ＰＵＣＣＨの送信タイミングが重なる場合、第１のチャネルのＵＣＩを（ｓ）ＰＵＣＣＨ又は（ｓ）ＰＵＳＣＨで送信する細部方法を提案する。
【０１２５】
（ｓ）ＰＵＣＣＨのペイロードサイズが２ビット以下に制限されるフォーマット（ｆｏｒｍａｔ）に対して、第１のチャネルと（ｓ）ＰＵＣＣＨに該当するＵＣＩ（例えば、ＨＡＲＱ−ＡＣＫ）の全ビット数が２ビットより多い場合、バンドリングによって最終のペイロードサイズが２ビット以下になるように制限することができる。また、第１のチャネルのＵＣＩ送信によるｓＰＵＳＣＨの性能劣化を制御するために、所定のビット数以下に第１のチャネルのＵＣＩを制限することもできる。このバンドリング動作は、空間バンドリング（ｓｐａｔｉａｌ  ｂｕｎｄｌｉｎｇ）又は異なるニューマロロジー及び／又はＴＴＩ長及び／又はプロセッシング時間及び／又はＰＤＳＣＨ  ＨＡＲＱ−ＡＣＫの搬送波間のバンドリングを含むことができる。
【０１２６】
端末が第１のチャネルに対するＤＣＩをミッシング（ｍｉｓｓｉｎｇ）する場合、基地局としては、端末が送信した（ｓ）ＰＵＣＣＨ／（ｓ）ＰＵＳＣＨがバンドリングされたＨＡＲＱ−ＡＣＫ情報の送信であるか、又はバンドリングなくｓＰＤＳＣＨに対するＨＡＲＱ−ＡＣＫのみが含まれた送信であるのかについて曖昧さ（ａｍｂｉｇｕｉｔｙ）が生じ得る。よって、このような状況を防止するために、以下のような方法が考えられる。
【０１２７】
Ａｌｔ  １：第２のチャネルに対するＤＣＩに第１のチャネルのＵＣＩをバンドリングするか否かについて明示的に指示する。この指示によって、端末は第２のチャネルの他に、別のＤＣＩに対するミッシング有無を正確に把握することができる。ここで、別のＤＣＩとは、第１のチャネルのＨＡＲＱ−ＡＣＫに対応するデータチャネルをスケジューリングする、又は第１のチャネルをスケジューリングするＤＣＩを含むことができる。また、第１のチャネルのＵＣＩが第２のチャネルによって送信されるとき、第１のチャネルのＵＣＩに対してバンドリングするか否かが上位層信号によって設定されることができる。このＤＣＩシグナリング又は上位層信号による設定は、第２のチャネルに対する特定のｓＴＴＩ長及び／又は第２のチャネルのニューマロロジー及び／又は第１のチャネルのＵＣＩペイロードサイズによって互いに異なってもよい。
【０１２８】
Ａｌｔ  ２：バンドリングを行ったとき、（ｓ）ＰＵＣＣＨ／（ｓ）ＰＵＳＣＨが送信されるリソースが別として設定されることができる。より詳細には、バンドリングを行ったときの（ｓ）ＰＵＣＣＨ／（ｓ）ＰＵＳＣＨリソースが別として上位層信号によって設定されることができる。或いは、動的シグナリングで指示される（ｓ）ＰＵＣＣＨ／（ｓ）ＰＵＳＣＨリソースに対してバンドリングを行ったときに使用するリソースを示すためのオフセットが上位層信号によって（又は、ＤＣＩによって）設定／指示されるか、又は予めオフセット値が約束された値に定義されてもよい。
【０１２９】
フォーマット調節（Ｆｏｒｍａｔ  ａｄａｐｔａｔｉｏｎ）
【０１３０】
（ｓ）ＰＵＣＣＨのペイロードサイズがＸビット以下に制限されるフォーマットに対して、第１のチャネルと（ｓ）ＰＵＣＣＨに該当するＵＣＩ（例えば、ＨＡＲＱ−ＡＣＫ）の全ビット数がＸビットより多い場合、Ｘ＋１ビット以上を支援する（ｓ）ＰＵＣＣＨで第１のチャネルと（ｓ）ＰＵＣＣＨに該当するＵＣＩを送信するように規則が定義されてもよい。仮に、（ｓ）ＰＵＣＣＨリソースがＤＣＩのＡＲＩ（ＡＣＫ／ＮＡＣＫ  ｒｅｓｏｕｒｃｅ  ｉｎｄｉｃａｔｏｒ）形態で指示される場合、ＡＲＩフィールド状態のうち一部は２ビット以下を支援する（ｓ）ＰＵＣＣＨフォーマットに対するリソースに連動して、残りの一部は３ビット以上を支援する（ｓ）ＰＵＣＣＨフォーマットに対するリソースに連動することができる。この場合、ＡＲＩフィールドが示す全ての状態に１つの（ｓ）ＰＵＣＣＨフォーマットに対するリソースが連動する場合と比較するとき、各々の（ｓ）ＰＵＣＣＨフォーマットに対するリソース設定の柔軟性（ｆｌｅｘｉｂｉｌｉｔｙ）が少し減少し得る。
【０１３１】
別の方法として、ＡＲＩフィールドが示す全ての（又は、一部の）状態に（ｓ）ＰＵＣＣＨフォーマットごとに別のリソースを連動させることもできる。一例として、ＡＲＩフィールドが２ビットである場合、２ビット以下を支援する（ｓ）ＰＵＣＣＨフォーマットに対する４つのリソースと、３ビット以上を支援する（ｓ）ＰＵＣＣＨフォーマットに対する４つのリソースを端末に設定することができる。この場合、ＡＲＩフィールドが示す状態は、第１のチャネルに対するスケジューリングなく、第２のチャネルのみが存在する場合と、第１のチャネルと第２のチャネルが重なる場合によって、前者では２ビット以下を支援する（ｓ）ＰＵＣＣＨフォーマットに対するリソースのうち１つとして解釈され、後者では３ビット以上を支援する（ｓ）ＰＵＣＣＨフォーマットに対するリソースのうち１つとして解釈されるように規則が定義されてもよい。
【０１３２】
上述したより長いＴＴＩ長を有する第１のチャネルと、第１のチャネルに比べて短いＴＴＩ長を有する（ｓ）ＰＵＣＣＨの送信タイミングが重なる場合、バンドリング又はフォーマット調節方法のうちいずれの方法を用いてＵＣＩを送信するかについて、上位層信号によって端末に設定することもできる。この場合、端末は設定によってバンドリング又はフォーマット調整のいずれか一方を活用してＵＣＩ送信動作を実行することができる。
【０１３３】
搬送波バンドリング（Ｃａｒｒｉｅｒ  ｂｕｎｄｌｉｎｇ）
【０１３４】
異なるニューマロロジー及び／又はＴＴＩ長及び／又はプロセッシング時間を有する複数のＵＬチャネル送信タイミングが時間上において重なる場合、特定のニューマロロジー及び／又はＴＴＩ長及び／又はプロセッシング時間を有するチャネル（第１のチャネル）の全部又は一部がドロップ／中止され、残りのチャネル（第２のチャネル）のみが送信されることができる。
【０１３５】
より具体的に、より長いＴＴＩ長を有する第１のチャネルと、第１のチャネルに比べて短いＴＴＩ長を有する（ｓ）ＰＵＣＣＨの送信タイミングが重なる場合、第１のチャネルのＵＣＩを第２のチャネルで送信する場合、端末が第１のチャネルに対するＤＣＩをミッシングすると、基地局としては、端末が送信した（ｓ）ＰＵＣＣＨ／（ｓ）ＰＵＳＣＨがｓＰＤＳＣＨに対するＨＡＲＱ−ＡＣＫ情報とＰＤＳＣＨに対するＨＡＲＱ−ＡＣＫ情報が共に送信されるものであるか、又はｓＰＤＳＣＨに対するＨＡＲＱ−ＡＣＫのみが含まれたものであるかについて曖昧さが生じ得る。これを防止するために、ｓＰＤＳＣＨに対するＨＡＲＱ−ＡＣＫ送信時に、常にＰＤＳＣＨに対するＨＡＲＱ−ＡＣＫに該当する分だけのＨＡＲＱ−ＡＣＫペイロードを含ませる方法が考えられる。しかし、この方法には、ｓＰＵＣＣＨのペイロードを不要に増加させる、またｓＰＵＳＣＨのＵＬ−ＳＣＨ部分を不要にパンクチャリング（ｐｕｎｃｔｕｒｉｎｇ）してＨＡＲＱ−ＡＣＫビットを送信させるというデメリットが存在する。これを緩和させるために、（ｓ）ＰＵＣＣＨ／（ｓ）ＰＵＳＣＨに載せられる１つ以上の搬送波（又は、セル）上の第１のチャネルのＰＤＳＣＨ  ＨＡＲＱ−ＡＣＫ情報は搬送波バンドリングによってそのペイロードサイズを減らして送信する方法が考えられる。
【０１３６】
ＬＴＥにおいて支援しているＨＡＲＱ−ＡＣＫペイロード決定は、２つの方法に大別できるが、第１番目は、設定されたＣＣ数と各ＣＣに設定されたＤＬ  ＴＭ（ｔｒａｎｓｍｉｓｓｉｏｎ  ｍｏｄｅ）によって定められる最大コードワード（ｃｏｄｅｗｏｒｄ）数によってＨＡＲＱ−ＡＣＫペイロードが決定される半静的なＨＡＲＱ−ＡＣＫコードブックサイズの決定方法である。第２番目は、ＤＬ割り当てＤＣＩ内のＤＡＩ（ｄｏｗｎｌｉｎｋ  ａｓｓｉｇｎｍｅｎｔ  ｉｎｄｅｘ）によって指示される動的ＨＡＲＱ−ＡＣＫコードブックサイズの決定方法である。動的ＨＡＲＱ−ＡＣＫコードブックサイズの決定の場合、全てのＤＣＩをミッシングしない限り、上述した基地局のＨＡＲＱ−ＡＣＫペイロードに対する曖昧さは発生しない。また、半静的なＨＡＲＱ−ＡＣＫコードブックサイズの決定の場合、常にＰＤＳＣＨに対するＨＡＲＱ−ＡＣＫに該当する分だけのＨＡＲＱ−ＡＣＫペイロードを第２のチャネルに含ませると、過度なビット予約又は留保（ｒｅｓｅｒｖａｔｉｏｎ）を引き起こす可能性がある。
【０１３７】
よって、第１のチャネルのＨＡＲＱ−ＡＣＫを第２のチャネルに送信する場合、第１のチャネルのＰＤＳＣＨ  ＨＡＲＱ−ＡＣＫに対する搬送波間のバンドリングは、第１のチャネルに対して、半静的なＨＡＲＱ−ＡＣＫコードブックサイズの決定が設定された場合に限って適用されるように規則が適用されてもよい。第１のチャネルのＰＤＳＣＨ  ＨＡＲＱ−ＡＣＫを第２のチャネルで送信する場合、第１のチャネルのＰＤＳＣＨ  ＨＡＲＱ−ＡＣＫに対する搬送波間のバンドリングは、設定された（又は、活性化された）ＣＣ数を基準として所定以上の場合に限って規則が適用されてもよい。
【０１３８】
サブスロットｓＰＵＳＣＨへのＵＣＩマッピング（ＵＣＩ  ｍａｐｐｉｎｇ  ｏｎｔｏ  ｓｕｂｓｌｏｔ  ｓＰＵＳＣＨ）
【０１３９】
ＵＣＩがサブスロットｓＰＵＳＣＨにピギーバックされる場合、相対的に短いＴＴＩ長と他のＴＴＩから生じる電力過渡区間（ｐｏｗｅｒ  ｔｒａｎｓｉｅｎｔ  ｐｅｒｉｏｄ）によって、ＵＣＩの性能に影響を及ぼす可能性がある。本発明では、この影響を最小化するためのＵＣＩマッピング方法を提案する。
【０１４０】
オプション１：ＴＴＩにおけるＤＭＲＳ位置及び／又はＴＴＩ境界によってＵＣＩマッピング方法の定義が異なってもよい。具体的に、｛Ｒ  Ｄ｝のようにＤＭＲＳがＴＴＩにおいて前部のシンボルに位置する場合には、最も優先順位の高いＨＡＲＱ−ＡＣＫがＴＴＩｍｐ後部の境界から最も離れるようにデータシンボルに周波数（又は、サブキャリア）インデックスが最小値のときから始まって周波数（又は、サブキャリア）インデックスを増加させながらコード化シンボルがマッピングされることができる。一方、｛Ｄ  Ｒ｝のようにＤＭＲＳがＴＴＩの後部のシンボルに位置する場合には、ＨＡＲＱ−ＡＣＫがＴＴＩの前部の境界から最も離れるようにデータシンボルに周波数（又は、サブキャリア）インデックスが最大値のときから始まって周波数（又は、サブキャリア）インデックスを減少させながらコード化シンボルがマッピングされることができる。
【０１４１】
オプション２：ＴＴＩにおけるＤＭＲＳのない２シンボルのｓＴＴＩの場合（すなわち、｛Ｄ  Ｄ｝）、ＨＡＲＱ−ＡＣＫは第１番目のシンボルにおいてＴＴＩの前部の境界から最も離れるように周波数（又は、サブキャリア）インデックスが最大値のときから始まって周波数（又は、サブキャリア）インデックスを減少させながらコード化シンボルがマッピングされることができる。一方、ＲＩ及び／又はＣＱＩ／ＰＭＩの場合、第２番目のシンボルにおいてＴＴＩの後部の境界から最も離れるように周波数（又は、サブキャリア）インデックスが最小値のときから始まって周波数（又は、サブキャリア）インデックスを増加させながらコード化シンボルがマッピングされることができる。より一般には、電力過渡区間の影響を受けるＴＴＩの前部の境界におけるより低い周波数（又は、サブキャリア）インデックスと、ＴＴＩの後部の境界におけるより高い周波数（又は、サブキャリア）インデックスを避けて各ＵＣＩが周波数ドメインの降順／昇順にマッピングされるように、また各ＵＣＩが互いに異なる時間ドメインシンボルにマッピングされるように規則が定義されてもよい。
【０１４２】
オプション３：特定のＵＣＩに対して、複数のベータ（β）オフセットが予め設定され、ＴＴＩ長及び／又はＤＭＲＳパターン及び／又はＭＣＳ（ｍｏｄｕｌａｔｉｏｎ  ａｎｄ  ｃｏｄｉｎｇ  ｓｃｈｅｍｅ）及び／又はＵＣＩペイロードによって、そのうちいずれの値を適用するか規則が予め定義されてもよい。ベータ（β）オフセットは、ＨＡＲＱ−ＡＣＫ、ランク指示子又はＣＲＩのためのコード化（変調）シンボルの数の決定に使用されるパラメータであり、当該（ｓ）ＰＵＳＣＨのための送信コードワードの数に依存する値である。
【０１４３】
ＨＡＲＱ−ＡＣＫビット、ランク指示子またはＣＲＩビットを運搬する（ｓ）ＰＵＳＣＨにおいてただ１つの送信ブロックが送信される場合、コード化（変調）シンボルの数（すなわち、リソース要素（ｒｅｓｏｕｒｃｅ  ｅｌｅｍｅｎｔ；ＲＥ）の数）（Ｑ’）は、以下のようである。
【０１４４】
【数１】
2019537345.tif 000030
【０１４５】
上記数式において、
2019537345.tif 000031
がベータオフセットに該当する。
【０１４６】
ここで、
2019537345.tif 000032
はＰＵＳＣＨリソースに分配されたＵＣＩペイロードサイズ（すなわち、ＨＡＲＱ−ＡＣＫビット、ランク指示子ビット又はＣＲＩビットの数）を、
2019537345.tif 000033
はＰＵＳＣＨリソースの周波数軸のサブキャリア数を、
2019537345.tif 000034
はＰＵＳＣＨリソースが割り当てられたＳＣ−ＦＤＭＡシンボル数を、Ｋｒはｒ番目のコードブロックにおいて送信されるビット数を意味して、
2019537345.tif 000035
はシーリング（ｃｅｉｌｉｎｇ）記号を意味する。
【０１４７】
一例として、特定のＵＣＩに対して２つのベータオフセット値が予め設定され、２シンボルｓＴＴＩ及び／又はＤＭＲＳパターンが｛Ｒ  Ｄ｝、｛Ｄ  Ｒ｝に該当する場合には、２つのうち高いベータオフセット値が適用される反面、３シンボルｓＴＴＩ及び／又はＤＭＲＳパターンが｛Ｒ  Ｄ  Ｄ｝、｛Ｄ  Ｄ  Ｒ｝に該当する場合には、２つのうち低いベータオフセット値が適用されるように規則が定義されてもよい。
【０１４８】
オプション４：特定のＵＣＩに対して、ＴＴＩ別に独立して異なるベータオフセット値が上位層信号によって設定されるか、物理層信号によって指示されるように規則が定義されてもよい。具体的には、サブスロットＰＵＳＣＨの２−ＯＳ  ＴＴＩと３−ＯＳ  ＴＴＩに適用されるベータオフセットが独立して異なるように設定／指示されるように規則が定義されてもよい。
【０１４９】
１ｍｓ  ＴＴＩ  ＵＣＩ  ｐｉｇｇｙｂａｃｋ  ｏｎｔｏ  ｓＴＴＩ（同時送信）
【０１５０】
異なるニューマロロジー及び／又はＴＴＩ長及び／又はプロセッシング時間を有する複数のＵＬチャネル送信のタイミングが時間上において重なる場合、特定のニューマロロジー及び／又はＴＴＩ長及び／又はプロセッシング時間を有するチャネル（第１のチャネル）の全部又は一部がドロップ／中止され、残りのチャネル（第２のチャネル）のみが送信されることができる。より具体的に、より長いＴＴＩ長を有する第１のチャネルと、第１のチャネルに比べて短いＴＴＩ長を有する（ｓ）ＰＵＣＣＨの送信タイミングが重なる場合、第１のチャネルのＵＣＩを第２のチャネルで送信するとき、端末が第１のチャネルに対するＤＣＩをミッシングすると、基地局としては、端末が送信した（ｓ）ＰＵＣＣＨ／（ｓ）ＰＵＳＣＨがｓＰＤＳＣＨに対するＨＡＲＱ−ＡＣＫ情報とＰＤＳＣＨに対するＨＡＲＱ−ＡＣＫ情報が共に送信されるものであるか、又はｓＰＤＳＣＨに対するＨＡＲＱ−ＡＣＫのみが含まれるものであるかについて曖昧さが生じ得る。これを防止するために、ｓＰＤＳＣＨに対するＨＡＲＱ−ＡＣＫ送信時に、常にＰＤＳＣＨに対するＨＡＲＱ−ＡＣＫに該当する分だけのＨＡＲＱ−ＡＣＫペイロードを含ませる方法が考えられる。
【０１５１】
第２のチャネル送信時、上述のように、第１のチャネルのＵＣＩに対するペイロードを考慮する場合、当該第１のチャネルのＵＣＩペイロードが実際に反映されるチャネルが以下のように決定されることができる。より具体的に、第１のチャネルに比べてより短いＴＴＩ長を有する（及び／又はより大きいサブキャリア間隔を有する、及び／又はより短いプロセッシング時間を有する）第２のチャネルに対してＰＵＳＣＨ／ＰＵＣＣＨの同時送信が設定又は可能な場合、第２のチャネルのＴＴＩ長／ニューマロロジー／プロセッシング時間に該当する本来のＵＣＩはＰＵＣＣＨで送信され、これとは異なるＴＴＩ長／ニューマロロジー／プロセッシング時間に該当する第１のチャネルのＵＣＩはＰＵＳＣＨで送信されるように規則が定義されてもよい。これは、ＰＵＣＣＨに比べてＰＵＳＣＨに第１のチャネルのＵＣＩがピギーバックされる方が、チャネル送信の性能の影響が少ないからである。
【０１５２】
また別の方法としては、第１のチャネルのＵＣＩペイロードが実際に送信される第２のチャネルのチャネルタイプは、上位層信号によって設定されるか、物理層信号によって指示されることもできる。ここで、物理層信号は、第２のチャネルをスケジューリングするＤＣＩを含むものであってもよい。
【０１５３】
第１のチャネルと第２のチャネルのＴＴＩ長／ニューマロロジー／プロセッシング時間に該当するＵＣＩがいずれも第２のチャネルのうちＰＵＳＣＨで送信される場合には、第１のチャネルのＵＣＩマッピングを先に行ってから、第２のチャネルのＵＣＩをマッピングするように規則が定義されることができる。これは、電力過渡区間による影響が周波数ドメイン観点からシンボル境界においてより大きいはずであるため、第１のチャネルと第２のチャネルのうち優先順位が相対的に低い第１のチャネルのＴＴＩ長／ニューマロロジー／プロセッシング時間に該当するＵＣＩをよりシンボル境界側にマッピングさせて、第２のチャネルのＴＴＩ長／ニューマロロジー／プロセッシング時間に該当するＵＣＩに及ぼす悪影響を最小化するためであり得る。
【０１５４】
ＰＵＣＣＨ／ＰＵＳＣＨ及びｓＰＵＳＣＨの衝突におけるＵＣＩ送信（ＵＣＩ  ｔｒａｎｓｍｉｓｓｉｏｎ  ｉｎ  ｃａｓｅ  ｏｆ  ｃｏｌｌｉｓｉｏｎ  ｂｅｔｗｅｅｎ  ＰＵＣＣＨ／ＰＵＳＣＨ  ＆  ｓＰＵＳＣＨ）
【０１５５】
異なるニューマロロジー及び／又はＴＴＩ長及び／又はプロセッシング時間を有する複数のＵＬチャネルの送信タイミングが時間上において重なる場合、特定のニューマロロジー及び／又はＴＴＩ長及び／又はプロセッシング時間を有するチャネル（第１のチャネル）の全部又は一部がドロップ／中止され、残りのチャネル（第２のチャネル）のみが送信されることができる。より具体的に、より長いＴＴＩ長を有する第１のチャネルと、第１のチャネルに比べて短いＴＴＩ長を有する（ｓ）ＰＵＣＣＨの送信タイミングが重なる場合、第１のチャネルのＵＣＩを（ｓ）ＰＵＳＣＨで送信する細部方法を提案する。本提案は、上述した重なりなく、基準／デフォルト（ｒｅｆｅｒｅｎｃｅ／ｄｅｆａｕｌｔ）ＴＴＩ長及び／又はニューマロロジー以外のＴＴＩ長及び／又はニューマロロジーを有する第２のチャネルにＵＣＩが含まれて送信される、より一般的な状況にも適用できる。説明の便宜のために、より長いＴＴＩ長を第１のＴＴＩ長、短いＴＴＩ長を第２のＴＴＩ長と呼ぶ。
【０１５６】
数式１において、
2019537345.tif 000036
はＱ’の最大値を制限するための値であって、スケジューリングされたＰＵＳＣＨのＲＢ数と４つのＳＣ−ＦＤＭＡシンボルに該当するＲＥ数であるが、ｓＰＵＳＣＨの場合、ＴＴＩ長が既存のものより短いため、上記式をそのままｓＰＵＳＣＨに活用すると、ＲＥの全てをＵＣＩに使用しなければならない可能性がある。よって、この値を小さくする必要もある。
【０１５７】
具体的に、ｓＰＵＳＣＨの（ｓＰＤＳＣＨに対応する）ｓＨＡＲＱ−ＡＣＫがマッピングされるコード化シンボル数の最大値を制限するための値は、既存の
2019537345.tif 000037
とは異なる別の値に決定されてもよい。この値は、上位層信号によって設定されてもよく、又は予め定義された規則によって決定された値であってもよい。より一般には、ｓＰＵＳＣＨの（ｓＰＤＳＣＨに対応する）ｓＨＡＲＱ−ＡＣＫがマッピングされるコード化シンボル数の最大値を制限するための値は、（１）「上位層信号によって設定された、又は予め定義された値（例えば、ＵＣＩがｓＰＵＳＣＨにマッピングされるＳＣ−ＦＤＭＡシンボルの数）」と、（２）「ｓＰＵＳＣＨスケジューリング帯域幅（サブキャリア数）、又はスケジューリング帯域幅の部分集合」の組み合わせによって決定されてもよい。一例として、ｓＰＵＳＣＨに特定のＵＣＩ（例えば、ＨＡＲＱ−ＡＣＫ）がマッピングされるＳＣ−ＦＤＭＡシンボルの数とｓＰＵＳＣＨスケジューリングに該当するサブキャリア数との積によって決定することができる。
【０１５８】
第１のＴＴＩ長に該当するＵＣＩと、第２のＴＴＩ長に該当するＵＣＩをそれぞれ別として個別コーディング（ｓｅｐａｒａｔｅ  ｃｏｄｉｎｇ）して、ｓＰＵＳＣＨで送信するように規則が定められてもよいが、ＴＴＩ長ごとに当該ＴＴＩ長のＵＣＩがマッピングされるリソース領域を予め周波数軸に（及び／又は時間軸に）区分しておいて、当該リソース領域内においてＵＣＩが実際にマッピングされる最大のＲＥ数を考慮して、Ｑ’の最大値を制限するための値がＴＴＩ長ごとに決定されてもよい。一例として、２シンボルのｓＰＵＳＣＨに対して、１つのシンボルにのみＨＡＲＱ−ＡＣＫがマッピングされてもよく、スケジューリングされたＲＢの半分は、第１のＴＴＩ長のＵＣＩがマッピングされてもよく、残りの半分には第２のＴＴＩ長のＵＣＩがマッピングされてもよいと規則を定めたとき、ｓＰＵＳＣＨに対して５０個のＲＢがスケジューリングされた場合、このＱ’値の最大値を制限するための値は、２５ＲＢ＊１２サブキャリア＊１シンボル＝３００（ＲＥｓ）として設定することができる。
【０１５９】
また別の方法として、上述した
2019537345.tif 000038
値に対するオフセット又はスケーリング因子（ｓｃａｌｉｎｇ  ｆａｃｔｏｒ）の形態で上位層信号によって設定されることもできる。
【０１６０】
より具体的に、この値は、ＴＴＩ長ごとに異なってもよい。本規則は、ＲＩがマッピングされるコード化シンボル数の決定にも同様に適用できる。
【０１６１】
ｓＰＵＣＣＨフォーマットに関するＵＥ能力（ＵＥ  ｃａｐａｂｉｌｉｔｙ  ｒｅｇａｒｄｉｎｇ  ｓＰＵＣＣＨ  ｆｏｒｍａｔ）
【０１６２】
ｓＴＴＩのＰＵＣＣＨも考慮されているが、具体的に、ＰＵＣＣＨフォーマット（ＰＵＣＣＨ  Ｆｏｒｍａｔ；ＰＦ）３ベースのｓＰＵＣＣＨとＰＦ４ベースのｓＰＵＣＣＨが考慮されている。ｓＰＵＣＣＨフォーマットは、既存の１ｍｓのＰＵＣＣＨフォーマットをベースとして生成されたが、さらに少ないシンボルからなるＴＴＩであり、しかもＴＴＩ内（ｉｎｔｒａ−ＴＴＩ）ホッピング（ｈｏｐｐｉｎｇ）を適用するか否かによっては、動作範囲（ｏｐｅｒａｔｉｎｇ  ｒａｎｇｅ）が既存のＰＵＣＣＨフォーマットと異なり得る。よって、既存のＰＦ３／ＰＦ４支援可否とは別として、ＰＦ３ベースのｓＰＵＣＣＨ及び／又はＰＦ４ベースのｓＰＵＣＣＨの支援可否について、端末が能力シグナリングをネットワークに提供するように規則が定義されてもよい。
【０１６３】
或いは、既存のＰＵＣＣＨフォーマット４を支援可能な端末は、ＰＦ３ベースのｓＰＵＣＣＨ及び／又はＰＦ４ベースのｓＰＵＣＣＨが支援できるとみなすこともできる。また、既存のＰＵＣＣＨフォーマットｘに対する能力のある端末の場合、ＰＦｘベースのｓＰＵＣＣＨも支援可能であるとみなすことができる。
【０１６４】
或いは、ＰＦ３ベースのｓＰＵＣＣＨ及びＰＦ４ベースのｓＰＵＣＣＨに対する支援可否が一つの能力として定義されて、ネットワークに報告されることもできる。上述した提案は、特定のＰＵＣＣＨフォーマットとＰＦｘベースのｓＰＵＣＣＨを例としたが、その他のフォーマットに対しても一般に拡張され適用されることができる。
【０１６５】
上述した提案方式に対する一例も本発明の実装方法のうち１つとして含まれてもよいため、一種の提案方式としてみなされるのは明白である。また、説明した提案方式は、独立して実装されてもよく、一部の提案方式の組み合わせ（又は、併合）の形態で実装されてもよい。提案方法の適用可否情報（又は、上述した提案方法の規則に関する情報）は、基地局が端末に予め定義されたシグナル（例えば、物理層シグナル又は上位層シグナル）を通じて知らせるように規則が定義されてもよい。
【０１６６】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサ１１，２１をそれぞれ備える。
【０１６７】
メモリ１２，２２は、プロセッサ１１，２１の処理及び制御のためのプログラムを格納することができ、入力／出力される情報を仮記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって実装されてもよい。ハードウェアを用いて本発明を実装する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１１，２１に設けられてもよい。一方、ファームウェアやソフトウェアを用いて本発明を実装する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０１６８】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、送信機／受信機１３に送信する。例えば、プロセッサ１１は、送信しようとするデータ列を逆多重化、チャネル符号化、スクランブリング、及び変調の過程などを経てＫ個のレイヤに変換する。符号化されたデータ列はコードワードとも呼ばれ、ＭＡＣ層が提供するデータブロックである送信ブロックと等価である。一送信ブロック（ｔｒａｎｓｐｏｒｔ  ｂｌｏｃｋ，ＴＢ）は一コードワードに符号化され、各コードワードは一つ以上のレイヤの形態で受信装置に送信される。周波数上り変換のために送信機／受信機１３はオシレータ（ｏｓｃｉｌｌａｔｏｒ）を含むことができる。送信機／受信機１３はＮｔ個（Ｎｔは１以上の正の整数）の送信アンテナを含むことができる。
【０１６９】
受信装置２０の信号処理過程は、送信装置１０の信号処理過程の逆となる。プロセッサ２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して（ダウンコンバートして、ｆｒｅｑｕｅｎｃｙ  ｄｏｗｎ−ｃｏｎｖｅｒｔ）基底帯域信号に復元する。送信機／受信機２３は、周波数下り変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０１７０】
送信機／受信機１３，２３は一つ以上のアンテナを具備する。アンテナは、プロセッサ１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組み合わせによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ，ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送信機／受信機の場合は２個以上のアンテナに接続されてもよい。
【０１７１】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１７２】
送信装置及び／又は受信装置は、上述した本発明の実施例のうちの少なくとも１つ又は２つ以上の実施例の組み合わせを実行することができる。
【０１７３】
このような実施例のうち１つとして、無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末が提案される。前記端末は、受信機及び送信機、および前記受信機及び送信機を制御するプロセッサを含み、前記プロセッサは、２つ又は３つのシンボルからなるＴＴＩにおいて、無線リソースに上りリンク制御情報をマッピングして、前記上りリンク制御情報は、ＨＡＲＱ−ＡＣＫ（hｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ランク指示子（ｒａｎｋ  ｉｎｄｉｃａｔｏｒ；ＲＩ）、チャネル品質指示子（ｃｈａｎｎｅｌ  ｑｕａｌｉｔｙ  ｉｎｄｉｃａｔｏｒ；ＣＱＩ）又はプリコーディング行列指示子（ｐｒｅｃｏｄｉｎｇ  ｍａｔｒｉｘ  ｉｎｄｉｃａｔｏｒ；ＰＭＩ）を含み、また前記上りリンク制御情報を基地局に送信して、前記ＴＴＩ内にＤＭＲＳがマッピングされるシンボルがない場合、前記ＴＴＩ内の第１番目のシンボルにＨＡＲＱ−ＡＣＫが最高の周波数インデックスリソース要素（ｒｅｓｏｕｒｃｅ  ｅｌｅｍｅｎｔ；ＲＥ）から降順にマッピングされ、ＲＩは前記ＴＴＩ内の残りのシンボルに最高の周波数インデックスのＲＥから降順にマッピングされることができる。
【０１７４】
追加又は代替案として、前記ＴＴＩ内に復調参照信号（ｄｅｍｏｄｕｌａｔｉｏｎ  ｒｅｆｅｒｅｎｃｅ  ｓｉｇｎａｌ；ＤＭＲＳ）が第１番目のシンボルに位置して、サウンディング参照信号（ｓｏｕｎｄｉｎｇ  ｒｅｆｅｒｅｎｃｅ  ｓｉｎｇａｌ；ＳＲＳ）が最後のシンボルに位置した場合、前記ＨＡＲＱ−ＡＣＫ、前記ＲＩ及び前記ＣＱＩ／ＰＭＩは、前記ＴＴＩ内の中央シンボルにマッピングされることができる。
【０１７５】
追加又は代替案として、前記上りリンク制御情報がマッピングされるコード化シンボルの最大数は、前記上りリンク制御情報がマッピングされるシンボルの数と、前記上りリンク制御情報が送信されるチャネルに該当するサブキャリアの数との積によって制限されることができる。
【０１７６】
また、前記上りリンク制御情報がマッピングされるシンボルの数は、ＴＴＩ長ごとに異なってもよい。これによって、ＴＴＩ長ごとに前記上りリンク制御情報がマッピングされるコード化シンボルの最大数は異なるように決定されてもよい。
【０１７７】
追加又は代替案として、前記上りリンク制御情報が送信されるチャネルは、１ｍｓよりも短い長さのＴＴＩベースの上りリンクデータチャネルであってもよい。
【０１７８】
追加又は代替案として、前記ＴＴＩが２つのシンボルからなり、そのうち一方のシンボルにＤＭＲＳが位置した場合、１つの上りリンクデータチャネルを復調するためのＤＭＲＳは、全体のＲＢのうち一部にのみマッピングされることができる。
【０１７９】
追加又は代替案として、前記２つのシンボルのうち他方のシンボルにおいて、前記ＤＭＲＳがマッピングされたＲＥと同一の周波数インデックスのＲＥにのみ前記上りリンク制御情報がマッピングされ、前記ＤＭＲＳがマッピングされたＲＥと同一の周波数インデックスのＲＥにのみマッピングされる上りリンク制御情報は、ＨＡＲＱ−ＡＣＫ又はＲＩであってもよい。
【０１８０】
上述したように開示された本発明の好適な実施例に関する詳細な説明は、当業者が本発明を実装して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０１８１】
本発明は、端末、リレー、基地局などのような無線通信装置に利用可能である。
【図１】
2019537345.tif 000039
【図２】
2019537345.tif 000040
【図３】
2019537345.tif 000041
【図４】
2019537345.tif 000042
【図５】
2019537345.tif 000043
【図６】
2019537345.tif 000044
【図７】
2019537345.tif 000045
【図８】
2019537345.tif 000046
【図９】
2019537345.tif 000047
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末のための上りリンク制御情報を送信する方法であって、
前記方法は、
前記端末によって行われ、
２つ又は３つのシンボルを含むＴＴＩにおいて、無線リソースに前記上りリンク制御情報をマッピングするステップであって、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）又はＰＭＩ（ｐｒｅｃｏｄｉｎｇ  ｍａｔｒｉｘ  ｉｎｄｉｃａｔｏｒ）を含む、ステップと、
前記上りリンク制御情報を基地局に送信するステップと、を含み、
前記ＴＴＩが３個のシンボルを含むとき、
ＤＭＲＳ（ＤｅＭｏｄｕｌａｔｉｏｎ  Ｒｅｆｅｒｅｎｃｅ  Ｓｉｇｎａｌ）は、前記ＴＴＩ内の１番目のシンボルに位置し、
ＳＲＳ（Ｓｏｕｎｄｉｎｇ  Ｒｅｆｅｒｅｎｃｅ  Ｓｉｇｎａｌ）は、前記ＴＴＩ内で送信され、
前記ＨＡＲＱ−ＡＣＫ及び前記ＲＩは、前記ＴＴＩのデータシンボルにマッピングされる、方法。
【請求項２】
ＤＭＲＳがマッピングされるシンボルが前記ＴＴＩ内にないとき、
前記ＨＡＲＱ−ＡＣＫは、最も高い周波数インデックスのＲＥ（Ｒｅｓｏｕｒｃｅ  Ｅｌｅｍｅｎｔ）から降順に前記ＴＴＩ内の１番目のシンボルにマッピングされ、
前記ＲＩは、最も高い周波数インデックスのＲＥから降順に前記ＴＴＩ内の２番目のシンボルにマッピングされる、請求項１に記載の方法。
【請求項３】
前記上りリンク制御情報がマッピングされるコード化シンボルの最大数は、前記上りリンク制御情報がマッピングされるシンボルの数と、前記上りリンク制御情報が送信されるチャネルに該当するサブキャリアの数との積によって制限される、請求項１に記載の方法。
【請求項４】
前記上りリンク制御情報がマッピングされるシンボルの数は、ＴＴＩ長ごとに異なる、請求項３に記載の方法。
【請求項５】
前記上りリンク制御情報が送信されるチャネルは、１ｍｓよりも短い長さのＴＴＩを有する上りリンクデータチャネルである、請求項１に記載の方法。
【請求項６】
前記ＴＴＩが２つのシンボルを含み、前記２つのシンボルの１つにＤＭＲＳが位置したとき、１つの上りリンクデータチャネルを復調するためのＤＭＲＳは、全体のＲＢのうち一部にのみマッピングされる、請求項１に記載の方法。
【請求項７】
前記２つのシンボルの他方において、前記ＤＭＲＳがマッピングされたＲＥと同一の周波数インデックスを有するＲＥにのみ、前記上りリンク制御情報は、マッピングされ、
前記ＤＭＲＳがマッピングされたＲＥと同一の周波数インデックスを有するＲＥにのみマッピングされる前記上りリンク制御情報は、前記ＨＡＲＱ−ＡＣＫ又は前記ＲＩを含む、請求項６に記載の方法。
【請求項８】
無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末であって、
前記端末は、
受信機及び送信機と、
前記受信機及び前記送信機を制御するプロセッサと、を含み、
前記プロセッサは、
２つ又は３つのシンボルを含むＴＴＩにおいて、無線リソースに上りリンク制御情報をマッピングし、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）又はＰＭＩ（ｐｒｅｃｏｄｉｎｇ  ｍａｔｒｉｘ  ｉｎｄｉｃａｔｏｒ）を含み、
前記上りリンク制御情報を基地局に送信し、
前記ＴＴＩが３個のシンボルを含むとき、
ＤＭＲＳ（ＤｅＭｏｄｕｌａｔｉｏｎ  Ｒｅｆｅｒｅｎｃｅ  Ｓｉｇｎａｌ）は、前記ＴＴＩ内の１番目のシンボルに位置し、
ＳＲＳ（Ｓｏｕｎｄｉｎｇ  Ｒｅｆｅｒｅｎｃｅ  Ｓｉｇｎａｌ）は、前記ＴＴＩ内で送信され、
前記ＨＡＲＱ−ＡＣＫ及び前記ＲＩは、前記ＴＴＩのデータシンボルにマッピングされる、端末。
【請求項９】
ＤＭＲＳがマッピングされるシンボルが前記ＴＴＩ内にないとき、
前記ＨＡＲＱ−ＡＣＫは、最も高い周波数インデックスのＲＥ（Ｒｅｓｏｕｒｃｅ  Ｅｌｅｍｅｎｔ）から降順に前記ＴＴＩ内の１番目のシンボルにマッピングされ、
前記ＲＩは、最も高い周波数インデックスのＲＥから降順に前記ＴＴＩ内の２番目のシンボルにマッピングされる、請求項８に記載の端末。
【請求項１０】
前記上りリンク制御情報がマッピングされるコード化シンボルの最大数は、前記上りリンク制御情報がマッピングされるシンボルの数と、前記上りリンク制御情報が送信されるチャネルに該当するサブキャリアの数との積によって制限される、請求項８に記載の端末。
【請求項１１】
前記上りリンク制御情報がマッピングされるシンボルの数は、ＴＴＩ長ごとに異なる、請求項１０に記載の端末。
【請求項１２】
前記上りリンク制御情報が送信されるチャネルは、１ｍｓよりも短い長さのＴＴＩを有する上りリンクデータチャネルである、請求項８に記載の端末。
【請求項１３】
前記ＴＴＩが２つのシンボルを含み、前記２つのシンボルの１つにＤＭＲＳが位置したとき、１つの上りリンクデータチャネルを復調するためのＤＭＲＳは、全体のＲＢのうち一部にのみマッピングされる、請求項８に記載の端末。
【請求項１４】
前記２つのシンボルの他方において、前記ＤＭＲＳがマッピングされたＲＥと同一の周波数インデックスを有するＲＥにのみ、前記上りリンク制御情報は、マッピングされ、
前記ＤＭＲＳがマッピングされたＲＥと同一の周波数インデックスを有するＲＥにのみマッピングされる前記上りリンク制御情報は、前記ＨＡＲＱ−ＡＣＫ又は前記ＲＩを含む、請求項１３に記載の端末。
【請求項１５】
無線通信システムにおいて、複数のＴＴＩ（ｔｒａｎｓｍｉｓｓｉｏｎ  ｔｉｍｅ  ｉｎｔｅｒｖａｌ）長、複数のサブキャリア間隔又は複数のプロセッシング時間を支援する端末のための上りリンク制御情報を受信する方法であって、
前記方法は、
基地局によって行われ、
２つ又は３つのシンボルを含むＴＴＩにおいて、無線リソースにマッピングされた上りリンク制御情報を前記端末から受信するステップであって、前記上りリンク制御情報は、ＨＡＲＱ−ＡＣＫ（ｈｙｂｒｉｄ  ａｕｔｏｍａｔｉｃ  ｒｅｔｒａｎｓｍｉｓｓｉｏｎ  ｒｅｑｕｅｓｔ−ａｃｋｎｏｗｌｅｄｇｅｍｅｎｔ／ｎｏｎ−ａｃｋｎｏｗｌｅｄｇｅｍｅｎｔ）、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）又はＰＭＩ（ｐｒｅｃｏｄｉｎｇ  ｍａｔｒｉｘ  ｉｎｄｉｃａｔｏｒ）を含む、ステップを含み、
前記ＴＴＩが３個のシンボルを含むとき、
ＤＭＲＳ（ＤｅＭｏｄｕｌａｔｉｏｎ  Ｒｅｆｅｒｅｎｃｅ  Ｓｉｇｎａｌ）は、前記ＴＴＩ内の１番目のシンボルに位置し、
ＳＲＳ（Ｓｏｕｎｄｉｎｇ  Ｒｅｆｅｒｅｎｃｅ  Ｓｉｇｎａｌ）は、前記ＴＴＩ内で送信され、
前記ＨＡＲＱ−ＡＣＫ及び前記ＲＩは、前記ＴＴＩのデータシンボルにマッピングされる、方法。
【国際調査報告】
2019537345.tif 000048
2019537345.tif 000049
2019537345.tif 000050
2019537345.tif 000051